(57)【要約】【課題】情報処理装置に入力された描画情報が複数の情報処理装置間で共有される場合において、描画情報を入力した入力側が有する描画情報の表示権限に応じて、それぞれの情報処理装置に表示される描画情報の表示を制御することで、利便性を向上させることができる。【解決手段】外部装置で表示される表示情報をネットワーク経由で受信して表示する表示部を備える情報処理装置であって、表示部に対する描画情報の入力を受け付ける受付手段と、受け付けられた描画情報の表示部に対する表示権限を示す権限情報に基づいて、描画情報の表示を制御する表示制御手段と、を備える情報処理装置。【選択図】図３
2019135567.tif 000002
【特許請求の範囲】
【請求項１】
外部装置で表示される表示情報をネットワーク経由で受信して表示する表示部を備える情報処理装置であって、
前記表示部に対する描画情報の入力を受け付ける受付手段と、
前記受け付けられた描画情報の前記表示部に対する表示権限を示す権限情報に基づいて、前記描画情報の表示を制御する表示制御手段と、
を備える情報処理装置。
【請求項２】
前記権限情報は、前記他の装置によって描画された描画情報の消去権限を有さない第１の権限と、前記表示された描画情報が所定の条件に基づいて消去される第２の権限とを有し、
前記表示制御手段は、前記権限情報に含まれる前記第１の権限または第２の権限に基づいて、前記描画情報の表示を制御する、請求項１に記載の情報処理装置。
【請求項３】
前記条件は、所定の時間を経過したことを示す条件であり、
前記表示制御手段は、前記第２の権限に対応する描画情報を、前記所定の時間を経過したことにより自動的に消去する、請求項２に記載の情報処理装置。
【請求項４】
請求項１乃至３のいずれか一項に記載の情報処理装置であって、更に、
前記権限情報に応じて、前記描画情報の入力を受け付ける入力画面を生成する生成手段と、を備え、
前記表示制御手段は、前記入力画面に入力された前記描画情報の表示を制御する、情報処理装置。
【請求項５】
前記入力画面は、前記取得された権限情報に応じた前記描画情報の前記表示権限を選択可能な選択手段を含み、
前記表示制御手段は、前記選択された表示権限に基づいて、前記描画情報の表示を制御する、請求項４に記載の情報処理装置。
【請求項６】
前記権限情報は、前記表示画像内の分割された領域ごとに、前記描画情報の表示権限が付与され、
前記表示制御手段は、前記領域ごとに付与された表示権限に基づいて、当該領域に入力された描画情報の表示を制御する、
請求項１乃至５のいずれか一項に記載の情報処理装置。
【請求項７】
表示部に表示される表示画像を共有する複数の情報処理装置の間の通信を管理する管理システムであって、
描画情報が入力された入力側を示す入力側情報に、前記描画情報の表示権限が関連づけられた権限情報を記憶手段と、
前記情報処理装置へ、前記入力側情報に関連づけられた前記権限情報を送信する送信手段と、
を備える管理システム。
【請求項８】
前記記憶手段は、前記入力側に加えて前記描画情報の共有先を含む描画共有情報に、前記入力側および前記共有先ごとの前記描画情報の表示権限が関連づけられた権限情報を記憶し、
前記送信手段は、入力側および共有先であるそれぞれの情報処理装置へ、前記描画共有情報に関連づけられた前記権限情報を送信する、
請求項７に記載の管理システム。
【請求項９】
複数の情報処理装置に表示される表示画像を共有する画像共有システムであって、
前記情報処理装置の表示部に対する描画情報の入力を受け付ける受付手段と、
前記描画情報を入力した入力側を示す入力側情報に、前記描画情報の表示権限が関連づけられた権限情報を記憶する記憶手段と、
前記記憶された権限情報に基づいて、前記描画情報の表示を制御する表示制御手段と、
を備える画像共有システム。
【請求項１０】
外部装置で表示される表示情報をネットワーク経由で受信して表示する表示部を備える情報処理装置が実行する画像共有方法であって、
前記表示部に対する描画情報の入力を受け付ける受付ステップと、
前記受け付けられた描画情報の前記表示部に対する表示権限を示す権限情報に基づいて、前記描画情報の表示を制御する表示制御ステップと、
を実行する画像共有方法。
【請求項１１】
コンピュータに請求項１０に記載の画像共有方法を実行させるプログラム。
【発明の詳細な説明】
【技術分野】
【０００１】
本発明は、情報処理装置、管理システム、画像共有システム、画像共有方法およびプログラムに関する。
【背景技術】
【０００２】
近年、インターネット等の通信ネットワークを介して拠点間の通信を行う遠隔会議システムが普及している。このような遠隔会議システムにおいて、例えば、一方の拠点には一方の通信端末が設置され、他方の拠点には他方の通信端末が設置される。遠隔会議システムを利用して会議等を行う場合、一方の通信端末は、一方のユーザの画像を撮像し、発言等を収集し、それらをコンテンツデータとして、他方の通信端末へ送信する。他方の通信端末は、受信したコンテンツデータを出力することで、遠隔の拠点間での会議を実現できる。
【０００３】
また、通信端末は、開かれているウィンドウ等の画像を会議資料として他方の通信端末へ送信することで、拠点間で会議資料を共有することもできる。さらに、このような遠隔会議システムにおいて、効率的に議論を進行するため、共有された会議資料が表示された表示画面に対する描画（手書き）が可能であり、描画された描画情報も共有できる技術が知られている。
【０００４】
例えば、特許文献１は、手書き入力表示装置に入力された描画情報を、複数の手書き入力表示装置の各々の間で、電子ホワイトボードに描画される描画情報として共用するホワイトボード共有システムの技術を開示している。
【発明の概要】
【発明が解決しようとする課題】
【０００５】
このようなシステムにおいて、手書き入力表示装置（例えば、情報処理装置）ごとに、描画情報の入力を制限したい場合がある。例えば、一方の情報処理装置で入力された描画情報を表示させた状態で、他方の情報処理装置で入力された描画情報を消去したい場合である。しかし、従来の方法では、入力された描画情報が複数の情報処理装置間で共有される場合において、描画情報を入力した入力側が有する描画情報の表示権限に応じて、それぞれの情報処理装置に表示される描画情報の表示を制御することができず、利便性が悪かった。
【課題を解決するための手段】
【０００６】
本発明に係る情報処理装置は、外部装置で表示される表示情報をネットワーク経由で受信して表示する表示部を備える情報処理装置であって、前記表示部に対する描画情報の入力を受け付ける受付手段と、前記受け付けられた描画情報の前記表示部に対する表示権限を示す権限情報に基づいて、描画情報の表示を制御する表示制御手段と、を備える。
【発明の効果】
【０００７】
本発明によれば、入力された描画情報が複数の情報処理装置間で共有して表示される場合において、描画情報を入力した入力側が有する描画情報の表示権限に応じて、それぞれの情報処理装置に表示される描画情報の表示を制御することで、利便性を向上させることができる。
【図面の簡単な説明】
【０００８】
【図１】第１の実施形態に係る画像共有システムのシステム構成の一例を示す図である。
【図２】第１の実施形態に係る画像共有システムにおける各種情報の送受信の状態の一例を示す図である。
【図３】第１の実施形態に係る画像共有システムの概略を説明するための概略図である。
【図４】第１の実施形態に係る情報処理装置のハードウエア構成の一例を示す図である。
【図５】第１の実施形態に係る伝送端末のハードウエア構成の一例を示す図である。
【図６】第１の実施形態に係る通信管理装置のハードウエア構成の一例を示す図である。
【図７】第１の一実施形態に係る画像共有システムの機能構成の一例を示す図である。
【図８】第１の実施形態に係る認証管理テーブルの一例を示す図である。
【図９】第１の実施形態に係る状態管理テーブルの一例を示す図である。
【図１０】第１の実施形態に係る宛先リスト管理テーブルの一例を示す図である。
【図１１】第１の実施形態に係るセッション管理テーブルの一例を示す図である。
【図１２】第１の実施形態に係る描画権限管理テーブルの一例を示す図である。
【図１３】第１の実施形態に係る画像共有システムにおける画像共有処理の一例を示すフローチャートである。
【図１４】第１の実施形態に係る画像共有システムにおいて、伝送端末間で通信を開始する準備を行い、セッションを確立する処理の一例を示すシーケンス図である。
【図１５】第１の実施形態に係る画像共有システムにおいて、情報処理装置が表示した表示データを、共有先である情報処理装置に表示させる処理の一例を示すシーケンス図である。
【図１６】第１の実施形態に係る情報処理装置において、描画情報の入力を受け付ける入力画面の生成処理の一例を示すフローチャートである。
【図１７】通常描画権限および一時的描画権限を有する情報処理装置に表示される表示画面の一例を示す図である。
【図１８】通常描画権限を有さないが、一時的描画権限を有する情報処理装置に表示される表示画面の一例を示す図である。
【図１９】第１の実施形態に係る情報処理装置に表示される表示データにおける複数の画像の重畳の一例を説明するための図である。
【図２０】ページデータの一例を説明するための図である。
【図２１】ストローク配列データの一例を説明するための図である。
【図２２】座標配列データの一例を説明するための図である。
【図２３】メディアデータの一例を説明するための図である。
【図２４】第１の実施形態に係る画像共有システムにおける描画画像を共有するためのシーケンス図である。
【図２５】第１の実施形態に係る情報処理装置に表示された表示データに対する描画処理の一例を示すフローチャートである。
【図２６】第１の実施形態の変形例１に係る描画権限管理テーブルの一例を示す図である。
【図２７】第１の実施形態の変形例２に係る描画権限管理テーブルの一例を示す図である。
【図２８】第１の実施形態の変形例２に係る情報処理装置に表示される表示画面の一例を示す図である。
【図２９】第２の実施形態に係る画像共有システムのシステム構成の一例を示す図である。
【図３０】第２の実施形態に係る画像共有システムの機能構成の一例を示す図である。
【図３１】第２の実施形態に係る画像共有システムにおいて、情報処理装置が表示した表示データを、共有先である情報処理装置に表示させる処理の一例を示すシーケンス図である。
【図３２】第２の実施形態に係る画像共有システムにおける描画画像を共有するためのシーケンス図である。
【図３３】第３の実施形態に係る画像共有システムのシステム構成の一例を示す図である。
【発明を実施するための形態】
【０００９】
以下、図面を参照しながら、発明を実施するための形態を説明する。なお、図面の説明において同一要素には同一符号を付し、重複する説明は省略する。
【００１０】
●第１の実施形態●
●システム構成
図１は、第１の実施形態に係る画像共有システムのシステム構成の一例を示す図である。図１に示す画像共有システムは、複数の拠点のそれぞれに設置された情報処理装置１０に表示される表示画像を共有することができるシステムである。また、図１に示す画像共有システムは、情報処理装置１０に入力された描画情報が、複数の情報処理装置１０間で共有して表示される場合において、描画情報を入力した入力側が有する描画情報の表示権限に応じて、それぞれの情報処理装置１０に表示される描画情報の表示を制御することができる。
【００１１】
画像共有システムは、複数の情報処理装置１０（１０ａ、１０ｂ、以下、区別する必要のないときは、情報処理装置１０とする。）、複数の伝送端末４０（４０ａ、４０ｂ、以下、区別する必要のないときは、伝送端末４０とする。）、複数の外部入力装置５０（５０ａ、５０ｂ、以下、区別する必要のないときは、外部入力装置５０とする。）、管理者端末６０、中継装置７０および通信管理装置９０によって構築されている。
【００１２】
画像共有システムは、情報処理装置１０ａが接続された一方の伝送端末４０ａから、情報処理装置１０ｂが接続された他方の伝送端末４０ｂに一方向にコンテンツデータを送信するデータ提供システム、または複数の伝送端末４０間で両方向にコンテンツデータを送信するコミュニケーションシステムである。コミュニケーションシステムは、例えば、テレビ会議システム、テレビ電話システムおよびチャットシステム等である。
【００１３】
以下、本実施形態は、コンテンツデータが、画像データ、および音データである場合について説明する。また、本実施形態は、画像共有システムが、コミュニケーションシステムの一例として、各々の伝送端末４０に接続された情報処理装置１０に表示される表示画像を共有する機能を有するテレビ会議システムである場合について説明する。
【００１４】
画像データの画像は、伝送端末４０で撮像された会議参加者等の画像並びにビュアー、または外部入力装置５０のエディター等で開かれている会議資料等の画像を含む。これらの画像は、動画であっても静止画であってもよく、動画と静止画の両方であってもよい。なお、「テレビ会議」は、「ビデオ会議」と同義に用いられる。
【００１５】
図１に示す画像共有システムは、一方の情報処理装置１０ａに表示される画像データを、他の情報処理装置１０ｂとの間で共有することができる。また、図１に示す画像共有システムにおいて、一方の情報処理装置１０に入力された描画情報（手書き内容）は、他方の情報処理装置１０に表示される。例えば、情報処理装置１０ａに入力された描画情報（手書き内容）は、伝送端末４０間の通信を介して送信され、情報処理装置１０ｂに表示される。同様に、情報処理装置１０ｂに入力された描画情報（手書き内容）は、伝送端末４０間の通信を介して送信され、情報処理装置１０ａに表示される。
【００１６】
情報処理装置１０は、タッチパネル機能を有するディスプレイ１１５（図４参照）を有し、ディスプレイ１１５上に描画情報を入力（手書き入力）可能な手書き入力装置である。本実施形態は、情報処理装置１０が、他の情報処理装置１０と相互通信が可能な電子式の黒板機能を有する白板（電子黒板；ＩＷＢ）である場合について説明する。なお、情報処理装置１０は、上述の電子黒板のみならず、手書き入力機能を有するタブレット端末、スマートフォン、ノートＰＣ（Personal Computer）等であってもよい。
【００１７】
情報処理装置１０ａは、ケーブル等を介して、伝送端末４０ａおよび外部入力装置５０ａとそれぞれ接続されている。同様に、情報処理装置１０ｂは、ケーブルを介して、伝送端末４０ｂおよび外部入力装置５０ｂとそれぞれ接続されている。ここで、情報処理装置１０ａ、並びに情報処理装置１０ａに接続された伝送端末４０ａおよび外部入力装置５０ａは、端末システム３ａと称する。また、情報処理装置１０ｂ、並びに情報処理装置１０ｂに接続された伝送端末４０ｂおよび外部入力装置５０ｂは、端末システム３ｂと称する。なお、図１に示す画像共有システムにおいて、二つの端末システム３（端末システム３ａおよび端末システム３ｂ）を有する例を説明するが、端末システム３の数は、これに限られない。画像共有システムは、三つ以上の端末システム３を有し、三つ以上の拠点を用いて通信を行う構成であってよい。
【００１８】
情報処理装置１０は、各々に接続された伝送端末４０を介して、ディスプレイ１１５に表示された画像データ、およびディスプレイ１１５に入力（手書き入力）された手書き内容である描画情報を、他の情報処理装置１０に送信する。また、情報処理装置１０は、外部入力装置５０から入力された出力画像をディスプレイ１１５に表示させる。
【００１９】
端末システム３を構成する各装置を接続するケーブルは、ＤｉｓｐｌａｙＰｏｒｔ、ＤＶＩ（Ｄｉｇｉｔａｌ  Ｖｉｓｕａｌ  Ｉｎｔｅｒｆａｃｅ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、またはＶＧＡ（Ｖｉｄｅｏ  Ｇｒａｐｈｉｃｓ  Ａｒｒａｙ）等の規格による通信が可能なケーブルである。なお、伝送端末４０および外部入力装置５０は、Ｗｉ−Ｆｉ（Wireless Fidelity（登録商標））等の無線通信によって情報処理装置１０と接続されてもよい。また、伝送端末４０および外部入力装置５０はＢｌｕｅｔｏｏｔｈ（登録商標）等の規格に準拠した無線通信によって情報処理装置１０と接続されてもよい。
【００２０】
情報処理装置１０は、電子ペン２４００（図４参照）等を用いてディスプレイ１１５に対する描画情報の入力（手書き入力）を受け付ける。電子ペン２４００のペン先は、ディスプレイ１１５に押しつけられた場合、ディスプレイ１１５からの反発力で電子ペン２４００の中に押し込まれるようになっている。そして、電子ペン２４００は、ペン先が電子ペン２４００の中に押し込まれた場合、対応する情報処理装置１０に通知する。電子ペン２４００と対応する情報処理装置１０との間の通信は、赤外線によって行われる。
【００２１】
そして、一の拠点にある情報処理装置１０ａのディスプレイ１１５上に描画された描画情報は、他の拠点にある情報処理装置１０ｂのディスプレイ１１５上にも表示される。一方で、他の拠点にある情報処理装置１０ｂのディスプレイ１１５上に描画された描画情報は、一の拠点にある情報処理装置１０ａのディスプレイ１１５上に表示される。また、情報処理装置１０は、ユーザが手を用いた、例えば、拡大、縮小、ページめくり等のジェスチャに基づいて、ディスプレイ１１５上に表示されている画像を変更させることもできる。このように、図１に示す画像共有システムでは、遠隔地において同じ画像を共有する遠隔共有処理を行うことができるため、遠隔地での会議等に用いると、非常に便利である。なお、ディスプレイ１１５に対する描画情報の入力（手書き入力）は、電子ペン２４００のみならず、例えば、ユーザの手を用いて行われてもよい。
【００２２】
伝送端末４０は、他の伝送端末４０との間で、画像データ、音声データ等の送受信を行う。伝送端末４０は、それぞれ情報処理装置１０と接続され、情報処理装置１０に表示された画像データを、他の伝送端末４０に送信する。そして、他の伝送端末４０に接続された情報処理装置１０は、送信された画像データを表示することで、複数の情報処理装置１０間で表示される画像データを共有することができる。なお、伝送端末４０は、端末である例を説明するが、情報処理装置１０内にインストールされたアプリケーションによって、伝送端末４０の機能を実行させてもよい。
【００２３】
複数の伝送端末４０および通信管理装置９０は、通信ネットワーク２を介して通信可能に接続される。複数の伝送端末４０は、それぞれ、例えば、日本の東京事業所の会議室、またはアメリカ合衆国のニューヨーク事業所の会議室等の任意の拠点に設置される。複数の伝送端末４０は、画像データおよび音データの送受信による拠点間の通信を行う。伝送端末４０は、複数の遠隔の事業所内だけでなく、同じ事業所内、屋外と屋内、または屋外と屋外等の任意の拠点で用いられる。伝送端末４０が屋外で使われる場合、携帯電話の通信網等の無線による通信が行われる。伝送端末４０は、テレビ会議での利用に限られるものではなく、ユーザ間の一般的な会話に用いられるものであってもよい。
【００２４】
通信ネットワーク２は、例えば、ＬＡＮ(Local Area Network)、専用線およびインターネット等によって構築される。通信ネットワーク２は、有線だけでなく、Ｗｉ−Ｆｉ（Wireless Fidelity（登録商標））や、Ｂｌｕｅｔｏｏｔｈ（登録商標）等の無線による通信が行われる箇所があってもよい。
【００２５】
外部入力装置５０は、情報処理装置１０と接続され、情報処理装置１０へ会議資料等の画像データを出力する。ここでの出力される画像データは、例えば、文書作成ソフトウェア、表計算ソフトウェア、プレゼンテーション用ソフトウェア等を用いて利用されるデータである。外部入力装置５０は、例えば、ＰＣであるが、タブレット、スマートフォン、ＰＤＡ（Personal Data Assistant）またはＵＳＢ(Universal Serial Bus)メモリ等であってもよい。
【００２６】
管理者端末６０は、通信ネットワーク２に接続され、画像共有システムの管理者が使用するＰＣ等の通信端末である。管理者端末６０は、通信管理装置９０が管理する各種情報の登録等の処理を行う。なお、図１において、管理者端末６０が一つの端末として設けられている例を説明したが、いずれかの情報処理装置１０、伝送端末４０または外部入力装置５０が管理者端末６０としての機能を担ってもよい。
【００２７】
中継装置７０は、伝送端末４０間でコンテンツデータを中継する装置である。通信管理装置９０は、伝送端末４０のログイン認証、伝送端末４０による通信の管理、および情報処理装置１０に入力される描画情報の表示の管理等を行うサーバ装置である。なお、画像共有システムは、通信管理装置９０が中継装置７０の機能を担い、中継装置７０を設けない構成にしてもよい。ここで、中継装置７０および通信管理装置９０は、それぞれの端末システム３間におけるコンテンツデータの通信の中継および管理を行う管理システム５と称する。
【００２８】
なお、管理システム５は、例えば、通信ネットワーク２に接続された他の装置を含んでもよい。例えば、管理システム５は、伝送端末４０に端末用プログラムを送信し、通信管理装置９０に通信管理用プログラムを送信するプログラム提供システムを含んで構成されてもよい。また、例えば、管理システム５は、端末システム３、中継装置７０および通信管理装置９０のうちの少なくとも一つの維持、管理、保守等のメンテナンスを行うメンテナンスシステムを含んで構成されてもよい。さらに、管理システム５は、端末システム３と同じ拠点に設置されてもよいし、異なる拠点に設置されてもよい。 
【００２９】
図２は、第１の実施形態に係る画像共有システムにおける各種情報の送受信の状態の一例を示す図である。図２は、情報処理装置１０がそれぞれ接続された伝送端末４０の間で、中継装置７０を介してコンテンツデータが送信される例を示す。なお、伝送端末４０間の通信は、これに限られず、Ｐ２Ｐ(Peer to Peer)等の任意の方式で行われてもよい。
【００３０】
図２に示すように、伝送端末４０と通信管理装置９０と間の通信は、呼制御用のメッセージ等の各種の管理情報を送受信するための管理情報用のセッションｓｅｉが確立される。また、伝送端末４０ａと伝送端末４０ｂとの間の通信は、中継装置７０を介して画像データを送信するためのセッションｓｅｄ１、および音データを送信するためのセッションｓｅｄ２が確立される。以下、伝送端末４０間でコンテンツデータを送信するためのセッションｓｅｄ１およびセッションｓｅｄ２のうち、任意の一以上のセッションをセッションｓｅｄと表す。
【００３１】
画像データは、伝送端末４０で撮像されたテレビ会議の参加者の画像データ、情報処理装置１０で開かれているウィンドウに表示される会議資料等の画像データを含む。そのため、画像データ送信用のセッションｓｅｄ１は、撮像された画像データを送受信するためのセッション、および会議資料等の画像データを送受信するためのセッションを含んでもよい。
【００３２】
また、画像データは、画像を再生するために必須の基本データおよび基本データと組み合わせることにより再生する画像の品質を高めるための拡張データを有していてもよい。この場合、画像データ送信用のセッションｓｅｄ１は、基本データを送受信するためのセッション、および拡張データを送受信するためのセッションを含む。なお、上述のように、画像共有システムは、通信管理装置９０が中継装置７０の機能を有しており、通信管理装置９０を介して伝送端末４０間のセッションｓｅｄが確立されてもよい。
【００３３】
●概略
図３は、第１の実施形態に係る画像共有システムの概略を説明するための概略図である。なお、図３は、第１の実施形態に係る画像共有システムの概略を簡略的に説明したものであり、画像共有システムが実現する機能等の詳細は、後述する図面等を用いて説明する。
【００３４】
図３は、画像共有システムが、サービス提供者とそのサービスの提供を受ける顧客との間で遠隔コミュニケーションを行う例である。画像共有システムは、サービス提供者が使用する情報処理装置１０ｂと顧客が使用する情報処理装置１０ａに表示される契約書類等の画像データを共有することができる。
【００３５】
サービス提供者と顧客のように、画像共有システムのユーザの立場（役割）がそれぞれ異なる場合、ユーザごとに情報処理装置１０に対する描画情報の入力（手書き入力）を制限したい場合がある。例えば、サービス提供者と顧客が、遠隔会議を用いて契約を結ぼうとしているケースを考える。このような利用シーンにおいて、サービス提供者から顧客へ、契約書の画像データを送信し、顧客が受信した画像データである契約書に遠隔から手書き入力する。
【００３６】
この場合、顧客は、契約書に反映される描画情報の入力（手書き入力）ができてよいが、サービス提供者は同様のことができてはいけない。一方で、サービス提供者は、顧客に契約書の記入箇所を指し示すため、契約書には反映されず一定時間表示されたら消えるような描画情報の入力（手書き入力）を行いたいといったニーズが考えられる。
【００３７】
そこで、第１の実施形態に係る画像共有システムは、それぞれの情報処理装置１０に入力された手書き内容である描画情報を表示させるための権限を、描画情報を入力した入力側ごとに設定する。そして、画像共有システムは、設定した権限に基づいて、それぞれの情報処理装置１０に表示される描画情報の表示を制御する。
【００３８】
図３に示す画像共有システムは、管理システム５が、描画情報を入力した入力側を識別するための入力側情報に、描画情報の表示権限が関連づけられた描画権限管理テーブル５０５が記憶され管理されている。描画情報を入力した入力側は、例えば、描画情報を入力したユーザ、または描画情報が入力された情報処理装置１０である。管理システム５は、入力側情報に関連づけられた表示権限の情報（描画権限情報５０５０）を、各ユーザ（各情報処理装置１０）へ通知する。
【００３９】
情報処理装置１０は、取得した描画権限情報５０５０に基づいて、入力された手書き内容である描画情報の表示を制御する。ここで、サービス提供者側で入力された手書き内容である描画情報の表示権限は、入力された描画情報が所定の条件に基づいて自動的に消去される一時的描画権限であるものとする。所定の条件は、例えば、手書き内容が入力されてから所定の時間経過したことを示す条件である。一方で、顧客側で入力された手書き内容である描画情報の表示権限は、手書き内容を入力した入力側のユーザ以外が消去することができない通常描画権限であるものとする。
【００４０】
サービス提供者が使用する情報処理装置１０ｂは、例えば、顧客側と共有する共有資料（例えば、契約書）の画像データを、顧客が使用する情報処理装置１０ａに送信する。情報処理装置１０ａと情報処理装置１０ｂは、情報処理装置１０ａが送信した画像データを共有して表示させる。
【００４１】
図３に示すように、まず、サービス提供者は、情報処理装置１０ｂに対して、顧客に契約書への署名箇所を指し示すための描画情報の入力（手書き入力）を行う。情報処理装置１０ｂは、入力された描画情報を、情報処理装置１０ａへ送信する。そして、情報処理装置１０ｂは、サービス提供者側で入力された描画情報を表示させる。
【００４２】
次に、顧客は、情報処理装置１０ｂに対して、サービス提供者によって指し示された署名箇所への描画情報の入力（手書き入力）（署名）を行う。情報処理装置１０ｂは、入力された描画情報（署名）を含む画像データを、情報処理装置１０ａへ送信する。
【００４３】
ここで、サービス提供者側で入力された描画情報（手書き内容）は、所定の時間経過した場合に消去される。情報処理装置１０ａおよび情報処理装置１０ｂは、顧客側で入力された手書き内容である描画情報（署名）のみが表示される。これによって、サービス提供者は、顧客によって署名された署名済み契約書を受け取ることができる。
【００４４】
このように、第１の実施形態に係る画像共有システムは、複数の情報処理装置１０の間で、情報処理装置１０に入力された描画情報の表示が共有されるシステムであって、描画情報を入力した入力側を示す情報に、入力された描画情報の表示権限を示す描画権限情報５０５０を関連づけて管理している。そして、情報処理装置１０は、描画情報を入力した入力側に関連づけられた描画権限情報５０５０に基づいて、該当する描画情報の表示を制御する。そのため、第１の実施形態に係る画像共有システムは、複数の情報処理装置１０において共通して表示される描画情報を含む表示画像に対して、描画情報の入力側が有する描画情報の表示権限に応じて、描画情報の表示を制御することができる。
【００４５】
●ハードウエア構成
続いて、図４乃至図６を用いて、画像共有システムを構成する装置または端末のハードウエア構成を説明する。なお、図４乃至図６に示すハードウエア構成は、各実施形態において同様の構成を備えていてもよく、必要に応じて構成要素が追加または削除されてもよい。
【００４６】
〇情報処理装置のハードウエア構成
図４は、第１の実施形態に係る情報処理装置のハードウエア構成の一例を示す図である。なお、図４は、情報処理装置１０が、上述のように、電子黒板である例を説明する。図４に示すように、情報処理装置１０は、ＣＰＵ(Central Processing Unit)１０１、ＲＯＭ(Read Only Memory)１０２、ＲＡＭ(Random Access Memory)１０３、ＳＳＤ(Solid State Drive)１０４、ネットワークＩ／Ｆ(Interface)１０５および外部機器接続Ｉ／Ｆ１０６を備えている。
【００４７】
ＣＰＵ１０１は、情報処理装置１０全体の動作を制御する。ＲＯＭ１０２は、ＣＰＵ１０１やＩＰＬ(Initial Program Loader)等のＣＰＵ１０１の駆動に用いられるプログラムを記憶する。ＲＡＭ１０３は、ＣＰＵ１０１のワークエリアとして使用される。ＳＳＤ１０４は、情報処理装置１０用のプログラム等の各種データを記憶する。情報処理装置１０は、例えば、ＲＯＭ１０２またはＳＳＤ１０４に記憶された、本発明に係るプログラムが実行されることによって本発明に係る画像共有方法を実現する。ネットワークＩ／Ｆ１０５は、通信ネットワーク２との通信を制御する。
【００４８】
外部機器接続Ｉ／Ｆ１０６は、伝送端末４０、外部入力装置５０、または外付け機器（マイク２１００、スピーカ２２００およびカメラ２３００）との通信を制御する。情報処理装置１０と伝送端末４０の機能が一体として構成されている場合、情報処理装置１０は、マイク２１００、スピーカ２２００およびカメラ２３００等を用いて遠隔会議を実現する。なお、情報処理装置１０に伝送端末４０が接続されている場合、情報処理装置１０は、各種外付け機器（マイク２１００、スピーカ２２００およびカメラ２３００）を備えていなくてもよい。
【００４９】
また、情報処理装置１０は、キャプチャデバイス１０９、ＧＰＵ(Graphics Processing Unit)１１０、ディスプレイコントローラ１１１、接触センサ１１３、センサコントローラ１１２、電子ペンコントローラ１１４、近距離通信回路１０７および近距離通信回路１０７のアンテナ１０７ａを備えている。
【００５０】
キャプチャデバイス１０９は、画像情報を静止画として、ディスプレイ１１５に表示させる。キャプチャデバイス１０９は、映像情報を静止画または動画として、ディスプレイ１１５に表示させる。ＧＰＵ１１０は、グラフィクスを専門に扱う半導体チップである。ディスプレイコントローラ１１１は、ＧＰＵ１１０からの出力画像をディスプレイ１１５等へ出力するために画面表示の制御および管理を行う。接触センサ１１３は、ディスプレイ１１５上に電子ペン２４００やユーザの手Ｈ等が接触したことを検知する。センサコントローラ１１２は、接触センサ１１３の処理を制御する。
【００５１】
接触センサ１１３は、赤外線遮断方式による座標の入力および座標の検出を行う。この座標の入力および座標の検出する方法は、ディスプレイ１１５の上側両端部に設置された２つ受発光装置が、ディスプレイ１１５に平行して複数の赤外線を放射し、ディスプレイ１１５の周囲に設けられた反射部材によって反射されて、受光素子が放射した光の光路と同一の光路上を戻ってくる光を受光する方法である。接触センサ１１３は、物体によって遮断された２つの受発光装置が放射した赤外線のＩＤをセンサコントローラ１１２に出力する。そして、センサコントローラ１１２は、物体の接触位置である座標位置を特定する。
【００５２】
電子ペンコントローラ１１４は、電子ペン２４００と通信することで、ディスプレイ１１５へのペン先のタッチ、またはペン尻のタッチの有無を判断する。近距離通信回路１０７は、ＮＦＣ（Near Field Communication）、Ｂｌｕｅｔｏｏｔｈ（登録商標）等の通信回路である。
【００５３】
さらに、情報処理装置１０は、バスライン１０８を備えている。バスライン１０８は、図４に示すように、ＣＰＵ１０１等の各構成要素を電気的に接続するためのアドレスバスやデータバス等である。
【００５４】
なお、接触センサ１１３は、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、または接触物体が表示部に接触することによって生じる電磁誘導を検知して接触位置を特定する電磁誘導方式のタッチパネル等の種々の検出手段を用いてもよい。また、電子ペンコントローラ１１４は、電子ペン２４００のペン先またはペン尻だけでなく、電子ペン２４００のユーザが握る部分、またはその他の電子ペンの部分のタッチの有無を判断するようにしてもよい。
【００５５】
〇伝送端末のハードウエア構成
図５は、第１の実施形態に係る伝送端末のハードウエア構成の一例を示す図である。なお、図５は、伝送端末４０が、上述のように、テレビ会議端末（ビデオ会議端末）である例を説明する。図５に示すように、伝送端末４０は、ＣＰＵ４０１、ＲＯＭ４０２、ＲＡＭ４０３、フラッシュメモリ４０４、ＳＳＤ４０５、メディアＩ／Ｆ４０７、操作ボタン４０８、電源スイッチ４０９、バスライン４１０、ネットワークＩ／Ｆ４１１、カメラ４１２、撮像素子Ｉ／Ｆ４１３、マイク４１４、スピーカ４１５、音入出力Ｉ／Ｆ４１６、ディスプレイＩ／Ｆ４１７、外部機器接続Ｉ／Ｆ４１８、近距離通信回路４１９、および近距離通信回路４１９のアンテナ４１９ａを備えている。
【００５６】
ＣＰＵ４０１は、伝送端末４０全体の動作を制御する。ＲＯＭ４０２は、ＩＰＬ等のＣＰＵ４０１の駆動に用いられるプログラムを記憶する。ＲＡＭ４０３は、ＣＰＵ４０１のワークエリアとして使用される。フラッシュメモリ４０４は、通信用プログラム、画像データおよび音データ等の各種データを記憶する。ＳＳＤ４０５は、ＣＰＵ４０１の制御にしたがってフラッシュメモリ４０４に対する各種データの読み出しまたは書き込みを制御する。なお、ＳＳＤ４０５は、ＨＤＤ(Hard Disk Drive)を用いてもよい。
【００５７】
メディアＩ／Ｆ４０７は、フラッシュメモリ等の記録メディア４０６に対するデータの読み出しまたは書き込み（記憶）を行うためのインターフェースである。操作ボタン４０８は、伝送端末４０の宛先を選択する場合等に操作されるボタンである。電源スイッチ４０９は、伝送端末４０の電源のＯＮ／ＯＦＦを切り換えるためのスイッチである。
【００５８】
ネットワークＩ／Ｆ４１１は、通信ネットワーク２を利用してデータ通信を行うためのインターフェースである。カメラ４１２は、ＣＰＵ４０１の制御に従って被写体を撮像して画像データを得る内蔵型の撮像手段の一種である。撮像素子Ｉ／Ｆ４１３は、カメラ４１２の駆動を制御する回路である。マイク４１４は、音声を入力する内蔵型の集音手段の一種である。音入出力Ｉ／Ｆ４１６は、ＣＰＵ４０１の制御に従ってマイク４１４およびスピーカ４１５との間で音信号の入出力を処理する回路である。
【００５９】
ディスプレイＩ／Ｆ４１７は、ＣＰＵ４０１の制御に従って外付けのディスプレイ４２０に画像データを送信する回路である。外部機器接続Ｉ／Ｆ４１８は、各種の外部機器を接続するためのインターフェースである。近距離通信回路４１９は、ＮＦＣ、Ｂｌｕｅｔｏｏｔｈ等の通信回路である。
【００６０】
また、バスライン４１０は、図５に示すＣＰＵ４０１等の各構成要素を電気的に接続するためのアドレスバスやデータバス等である。
【００６１】
ディスプレイ４２０は、被写体の画像や操作用アイコン等を表示する液晶や有機ＥＬによって構成された表示手段の一種である。また、ディスプレイ４２０は、ケーブル４２０ｃによってディスプレイＩ／Ｆ４１７に接続される。このケーブル４２０ｃは、アナログＲＧＢ（ＶＧＡ）信号用のケーブルであってもよいし、コンポーネントビデオ用のケーブルであってもよいし、ＨＤＭＩまたはＤＶＩ信号用のケーブルであってもよい。なお、外部機器接続Ｉ／Ｆ４１８に情報処理装置１０が接続されている場合、情報処理装置１０のディスプレイ１１５が表示手段としての機能を担うため、伝送端末４０は、ディスプレイ４２０を設けない構成にしてもよい。
【００６２】
なお、カメラ４１２は、レンズや、光を電荷に変換して被写体の画像（映像）を電子化する固体撮像素子を含む。カメラ４１２は、固体撮像素子として、ＣＭＯＳ(Complementary Metal Oxide Semiconductor)またはＣＣＤ（Charge Coupled Device）等が用いられる。外部機器接続Ｉ／Ｆ４１８は、ＵＳＢケーブル等によって、外付けカメラ、外付けマイクおよび外付けスピーカ等の外部機器がそれぞれ接続可能である。外付けカメラが接続された場合、外付けカメラは、ＣＰＵ４０１の制御に従って、内蔵型のカメラ４１２に優先して駆動する。同じく、外付けマイクが接続された場合や、外付けスピーカが接続された場合は、ＣＰＵ４０１の制御に従って、それぞれが内蔵型のマイク４１４や内蔵型のスピーカ４１５に優先して駆動する。
【００６３】
記録メディア４０６は、伝送端末４０に着脱自在な構成となっている。また、ＣＰＵ４０１の制御にしたがってデータの読み出しまたは書き込みを行う不揮発性メモリであれば、フラッシュメモリ４０４に限らず、ＥＥＰＲＯＭ（Electrically Erasable Programmable Read-Only Memory）等を用いてもよい。
【００６４】
〇通信管理装置のハードウエア構成
図６は、第１の実施形態に係る通信管理装置のハードウエア構成の一例を示す図である。なお、通信管理装置９０、外部入力装置５０、管理者端末６０および中継装置７０は、基本的に同様のハードウエア構成を有している。そのため、以降の説明において、外部入力装置５０、管理者端末６０および中継装置７０のハードウエア構成について説明する場合は、図６に示す各構成を用いて説明する。
【００６５】
通信管理装置９０は、コンピュータによって構築されており、図６に示すように、ＣＰＵ９０１、ＲＯＭ９０２、ＲＡＭ９０３、ＨＤ９０４、ＨＤＤ９０５、記録メディア９０６、メディアＩ／Ｆ９０７、ディスプレイ９０８、ネットワークＩ／Ｆ９０９、キーボード９１１、マウス９１２、ＣＤ−ＲＯＭ(Compact Disc−Read Only Memory)ドライブ９１４およびバスライン９１０を備えている。
【００６６】
ＣＰＵ９０１は、通信管理装置９０全体の動作を制御する。ＲＯＭ９０２は、ＩＰＬ等のＣＰＵ９０１の駆動に用いられるプログラムを記憶する。ＲＡＭ９０３は、ＣＰＵ９０１のワークエリアとして使用される。ＨＤ９０４は、プログラム等の各種データを記憶する。ＨＤＤ９０５は、ＣＰＵ９０１の制御にしたがってＨＤ９０４に対する各種データの読み出しまたは書き込みを制御する。メディアＩ／Ｆ９０７は、フラッシュメモリ等の記録メディア９０６に対するデータの読み出しまたは書き込み（記憶）を制御する。
【００６７】
ディスプレイ９０８は、カーソル、メニュー、ウィンドウ、文字または画像等の各種情報を表示する。ネットワークＩ／Ｆ９０９は、通信ネットワーク２を利用してデータ通信をするためのインターフェースである。キーボード９１１は、文字、数値または各種指示等の入力のための複数のキーを備えた入力手段の一種である。マウス９１２は、各種指示の選択もしくは実行、処理対象の選択、またはカーソルの移動等を行う入力手段の一種である。ＣＤ−ＲＯＭドライブ９１４は、着脱可能な記録媒体の一例としてのＣＤ−ＲＯＭ９１３に対する各種データの読み出しまたは書き込みを制御する。
【００６８】
また、通信管理装置９０は、バスライン９１０を備えている。バスライン９１０は、図６に示すＣＰＵ９０１等の各構成要素を電気的に接続するためのアドレスバスやデータバス等である。
【００６９】
●機能構成
続いて、第１の実施形態に係る画像共有システムの機能構成について説明する。図７は、第１の実施形態に係る画像共有システムの機能構成の一例を示す図である。図７は、外部入力装置５０が接続された情報処理装置１０が、伝送端末４０を介して、通信管理装置９０と通信することが可能な状態を示す。
【００７０】
図７に示す情報処理装置１０により実現される機能は、受信部１１、送信部１２、入力受付部１３、生成部１４、表示制御部１５、記憶・読出部１６および記憶部１０００を含む。
【００７１】
受信部１１は、外部の装置または端末から送信された各種データを受信する機能である。受信部１１は、例えば、他の端末システム３から送信された画像データを、伝送端末４０を介して受信する。また、受信部１１は、通信管理装置９０から送信された描画権限情報５０５０を、伝送端末４０を介して受信する。さらに、受信部１１は、外部入力装置５０から送信された画像データを受信する。
【００７２】
送信部１２は、情報処理装置１０において処理された表示画像等の画像データを、外部の装置または端末へ送信する機能である。送信部１２は、例えば、入力（手書き入力）された描画情報を含む画像データを、接続された伝送端末４０へ送信する。受信部１１および送信部１２は、例えば、図４に示した外部機器接続Ｉ／Ｆ１０６およびＣＰＵ１０１で実行されるプログラム等により実現される。
【００７３】
入力受付部１３は、図４に示したディスプレイ１１５に対する描画情報の入力（手書き入力）を受け付ける機能である。入力受付部１３は、例えば、図４に示したセンサコントローラ１１２、接触センサ１１３、電子ペンコントローラ１１４およびＣＰＵ１０１で実行されるプログラム等により実現される。入力受付部１３は、受付手段の一例である。
【００７４】
生成部１４は、図４に示したディスプレイ１１５に表示させる表示画像を生成する機能である。生成部１４は、例えば、後述する描画権限情報５０５０に応じた描画情報の入力を受け付ける入力画面（後述する図１９に示すＵＩ画像（Ａ））を生成する。生成部１４は、例えば、図４に示したＣＰＵ１０１で実行されるプログラム等により実現される。生成部１４は、生成手段の一例である。
【００７５】
表示制御部１５は、ユーザによる入力操作を受け付ける操作画面、外部入力装置５０から出力された画像データおよびユーザによる描画情報の入力を受け付ける入力画面を、図４に示したディスプレイ１１５に表示させる機能である。表示制御部１５は、例えば、図４に示したディスプレイコントローラ１１１およびＣＰＵ１０１で実行されるプログラム等により実現される。表示制御部１５は、表示制御手段の一例である。
【００７６】
記憶・読出部１６は、記憶部１０００に各種データを記憶し、記憶部１０００から各種データを読み出す機能である。記憶部１０００は、記憶・読出部１６および記憶部１０００は、例えば、図４に示したＲＯＭ１０２、ＳＳＤ１０４およびＣＰＵ１０１で実行されるプログラム等により実現される。また、記憶部１０００は、描画権限管理ＤＢ１００１および画像データ管理ＤＢ１００２を構築している。
【００７７】
描画権限管理ＤＢ１００１は、入力（手書き入力）された描画情報を、ディスプレイ１１５に表示させるための描画権限情報５０５０を記憶して管理している。情報処理装置１０は、伝送端末４０を介して、描画権限管理ＤＢ１００１に記憶される描画権限情報５０５０を、通信管理装置９０から取得する。描画権限情報５０５０の詳細は、後述する。
【００７８】
画像データ管理ＤＢ１００２は、図４に示したディスプレイ１１５に表示させる画像データを記憶して管理している。また、画像データ管理ＤＢ１００２は、受信部１１によって受信された画像データを記憶して管理している。さらに、画像データ管理ＤＢ１００２は、後述するページデータ（図２０参照）、ストロークデータ（図２１参照）、座標配列データ（図２２参照）およびメディアデータ（図２３参照）等の描画データを記憶して管理している。
【００７９】
次に、伝送端末４０の機能構成について説明する。図７に示す伝送端末４０により実現される機能は、送受信部４１、入出力部４２、ログイン要求部４３、制御部４４、記憶・読出部４５および記憶部４０００を含む。
【００８０】
送受信部４１は、通信ネットワーク２を経由して、他の装置との間でデータをやり取りする機能である。送受信部４１は、例えば、図５に示したネットワークＩ／Ｆ４１１によって実現され、通信ネットワーク２を介して他の端末、装置またはシステムと各種データ（情報）の送受信を行う。
【００８１】
入出力部４２は、外部からの各種入力を受け付けるとともに、外部へ各種データを出力する機能である。入出力部４２は、例えば、図５に示した操作ボタン４０８、および電源スイッチ４０９によって実現され、ユーザによる各種入力を受け付ける。例えば、ユーザが、図５に示した電源スイッチ４０９をＯＮにした場合、入出力部４２は、電源ＯＮを受け付けて、電源をＯＮにする。また、入出力部４２は、図５に示したＣＰＵ４０１からの命令、および外部機器接続Ｉ／Ｆ４１８により実現され、情報処理装置１０との間で、コンテンツデータの入出力を行う。
【００８２】
ログイン要求部４３は、図５に示したＣＰＵ４０１からの命令によって実現され、上記電源ＯＮの受け付けを契機として、送受信部４１から通信ネットワーク２を経由して通信管理装置９０へ、ログインを要求する旨を示すログイン要求情報、および伝送端末４０の現時点のＩＰアドレスを自動的に送信する。
【００８３】
制御部４４は、図５に示したＣＰＵ４０１からの命令によって実現され、伝送端末４０により実行される動作および処理を制御する機能である。
【００８４】
記憶・読出部４５は、記憶部４０００に各種データを記憶し、記憶部４０００から各種データを読み出す機能である。記憶部４０００は、例えば、他の伝送端末４０との間で通信を行うための認証処理に用いる認証情報（後述する通信ＩＤおよびパスワード等）等を記憶している。記憶・読出部４５および記憶部４０００は、例えば、図５に示したＲＯＭ４０２、フラッシュメモリ４０４、ＳＳＤ４０５およびＣＰＵ１０１で実行されるプログラム等により実現される。
【００８５】
続いて、通信管理装置９０の機能構成について説明する。図７に示す通信管理装置９０により実現される機能は、送受信部９１、認証部９２、描画権限管理部９３、制御部９４、記憶・読出部９５および記憶部９０００を含む。
【００８６】
送受信部９１は、通信ネットワーク２を経由して、他の装置との間でデータをやり取りする機能である。送受信部９１は、例えば、図６に示したＣＰＵ９０１からの命令およびネットワークＩ／Ｆ９０９により、通信ネットワーク２を介して他の端末、装置またはシステムと各種データ（情報）の送受信を行う。
【００８７】
認証部９２は、図６に示したＣＰＵ９０１からの命令により、ログイン要求元の認証を行う機能である。認証部９２は、送受信部９１によってログイン要求情報を受信した場合、後述する認証管理テーブル５０１を用いて、ログイン要求元の認証処理を実行する。
【００８８】
描画権限管理部９３は、図６に示したＣＰＵ９０１からの命令により、情報処理装置１０に描画情報を入力した入力側が有する描画情報の表示権限を管理する機能である。描画権限管理部９３は、例えば、後述する描画権限管理テーブル５０５に描画権限情報５０５０の登録を行う。また、描画権限管理部９３は、例えば、伝送端末４０間におけるセッションが確立した場合、描画権限管理テーブル５０５に含まれる描画権限情報５０５０の読み出しを行う。読み出された描画権限情報５０５０は、伝送端末４０を介して、対応する情報処理装置１０へ、それぞれ送信される。情報処理装置１０は、受信した描画権限情報５０５０を、描画権限管理ＤＢ１００１に記憶する。
【００８９】
制御部９４は、図６に示したＣＰＵ９０１からの命令によって実現され、通信管理装置９０により実行される動作および処理を制御する機能である。
【００９０】
記憶・読出部９５は、図６に示したＣＰＵ９０１からの命令によって、記憶部９０００に各種データを記憶するとともに、記憶部９０００に記憶された各種データを読み出す処理を行う機能である。記憶・読出部９５および記憶部９０００は、例えば、図６に示したＲＯＭ９０２、ＨＤ９０４、ＨＤＤ９０５およびＣＰＵ９０１で実行されるプログラム等により実現される。記憶部９０００は、記憶手段の一例である。また、記憶部９０００は、認証管理ＤＢ９００１、状態管理ＤＢ９００２、宛先リスト管理ＤＢ９００３、セッション管理ＤＢ９００４および描画権限管理ＤＢ９００５が構築されている。
【００９１】
なお、図７は、画像共有システムの一つの端末システム３を構成する装置または端末を例として説明したが、画像共有システムに含まれる他の端末システム３を構成する装置および端末は、それぞれ同様の機能を備える。また、図７に示す画像共有システムは、情報処理装置１０と伝送端末４０が別々に設けられている例を説明したが、例えば、情報処理装置１０に伝送端末４０の機能が含まれていてもよい。
【００９２】
〇認証管理テーブル
図８は、第１の実施形態に係る認証管理テーブルの一例を示す図である。記憶部９０００は、図８に示す認証管理テーブル５０１によって構成される認証管理ＤＢ９００１を構築している。認証管理テーブル５０１は、通信管理装置９０によって管理される伝送端末４０の通信ＩＤに、認証用のパスワードを関連づけて記憶している。
【００９３】
通信ＩＤは、画像共有システムにおいて、通信先を特定するための情報である。通信ＩＤは、例えば、伝送端末４０の識別情報（端末ＩＤ）、伝送端末４０のユーザの識別情報（ユーザＩＤ）およびアカウント名である。なお、図８に示す認証管理テーブル５０１は、通信ＩＤとして、端末ＩＤ、ユーザＩＤおよびアカウント名が管理されている例を説明したが、少なくともいずれかが含まれていればよい。また、端末ＩＤは、伝送端末４０に接続された情報処理装置１０を識別するための端末ＩＤであってもよい。以下、通信ＩＤは、通信先を特定するための情報として、伝送端末４０の識別情報（端末ＩＤ）が用いられるものとして説明する。また、伝送端末４０ａに対応する通信ＩＤは、端末ＩＤ「０１ａａ」であり、伝送端末４０ｂに対応する通信ＩＤは、端末ＩＤ「０１ｂｂ」である場合について説明する。
【００９４】
〇状態管理テーブル
図９は、第１の実施形態に係る状態管理テーブルの一例を示す図である。記憶部９０００は、図９に示す状態管理テーブル５０２によって構成される状態管理ＤＢ９００２を構築している。状態管理テーブル５０２は、伝送端末４０の通信ＩＤごとに、端末の稼動状態、後述のログイン要求情報が通信管理装置９０で受信された受信日時、および端末のＩＰアドレスを関連づけて記憶している。なお、通信ＩＤは、伝送端末４０が通信管理装置９０を利用して通信を行うために、伝送端末４０が通信管理装置９０に登録される際に記憶される。
【００９５】
〇宛先リスト管理テーブル
図１０は、第１の実施形態に係る宛先リスト管理テーブルの一例を示す図である。記憶部９０００は、図１０に示す宛先リスト管理テーブル５０３によって構成される宛先リスト管理ＤＢ９００３を構築している。宛先リスト管理テーブル５０３は、通信の開始を要求する要求元の通信ＩＤに対して、通信相手の候補として登録されている全ての宛先の通信ＩＤを関連づけて記憶している。通信相手の候補は、任意の要求元から通信管理装置９０に対する追加または削除の要請により、追加または削除されることで更新される。
【００９６】
〇セッション管理テーブル
図１１は、第１の実施形態に係るセッション管理テーブルの一例を示す図である。記憶部９０００は、図１１に示すセッション管理テーブル５０４によって構成されるセッション管理ＤＢ９００４を構築している。セッション管理テーブル５０４は、通信データ（画像データおよび音声データ）の中継に使用される中継装置７０の中継装置ＩＤ、要求元の通信ＩＤ、宛先の通信ＩＤ、宛先において画像データが受信される際の受信の遅延時間（ｍｓ）、および宛先から送信された遅延時間を示す遅延情報を通信管理装置９０で受信した受信日時（遅延情報受信日時）を関連づけて記憶している。
【００９７】
なお、二つの伝送端末４０の間で通信を行う場合、上記宛先ではなく要求元から送信されてきた遅延情報に基づいて、遅延情報の受信日時を管理してもよい。ただし、三つ以上の伝送端末４０の間で通信を行う場合、画像データおよび音声データの受信側の伝送端末４０から送信されてきた遅延情報に基づいて、遅延情報の受信日時が管理される。
【００９８】
〇描画権限管理テーブル
図１２は、第１の実施形態に係る描画権限管理テーブルの一例を示す図である。記憶部９０００は、図１２に示す描画権限管理テーブル５０５によって構成される描画権限管理ＤＢ９００５を構築している。描画権限管理テーブル５０５は、通信ＩＤごとに、名称および描画権限情報５０５０を関連づけて記憶している。
【００９９】
通信ＩＤは、図８に示した認証情報に含まれる通信ＩＤと同様のものである。名称は、通信ＩＤに対応する通信先の名称である。名称は、管理者端末６０によって登録される。なお、名称は、宛先リストの登録時ユーザによって登録されてもよい。
【０１００】
描画権限情報５０５０は、入力された描画情報の表示権限を示す権限情報である。表示権限は、入力された描画情報をディスプレイ１１５に表示させるための権限である。権限情報は、例えば、描画情報が入力された入力側のユーザまたは情報処理装置１０によって、入力された描画情報の表示権限が異なる。言い換えれば、権限情報は、通信ＩＤに対応するユーザまたは情報処理装置１０が、描画情報を入力可能な描画種別を示すものである。描画種別は、例えば、入力された描画情報をユーザによって消去されるまで表示させる通常描画、または入力された描画情報を一定時間経過した場合に自動的に消去するアノテーション描画等が含まれる。
【０１０１】
描画権限情報５０５０は、通常描画および一時的描画の可否情報を含む。通常描画は、手書き内容である描画情報を入力したユーザ以外が入力された描画情報を消去することができない描画種別である。すなわち、通常描画の表示権限は、他の装置によって描画された描画情報の消去権限を有さない表示権限である。
【０１０２】
一方で、一時的描画は、入力された手書き内容である描画情報が、所定の条件に基づいて自動的に消去される描画種別である。一時的描画は、例えば、アノテーション描画である。すなわち、一時的描画の表示権限は、表示された描画情報が所定の条件に基づいて消去される表示権限である。
【０１０３】
所定の条件は、例えば、描画情報が入力されてから、所定の時間を経過したことを示す条件である。また、所定の条件は、例えば、描画情報が入力された入力側とは異なるユーザ（情報処理装置１０）によって描画情報の入力が行われたことを示す条件であってもよい。なお、描画権限管理テーブル５０５は、一時的描画による描画情報が消去される条件の内容を含んで構成されてもよい。この場合、一時的描画による描画情報が消去される条件は、通信ＩＤごとに異なる内容にしてもよい。
【０１０４】
図１２において、例えば、通信ＩＤ「０１ａａ」、名称「ＸツーリストＡ店」は、通常描画が可能（可）であり、一時的描画が可能（可）である。一方で、通信ＩＤ「０１ｂｂ」、名称「コンシェルジュＢ」の端末は、通常描画が不可能（不可）であり、一時的描画が可能（可）である。また、通信ＩＤ「０１ｂａ」、名称「コンシェルジュＣ」の端末は、通常描画が不可能（不可）であり、一時的描画が可能（可）である。ここで、通常描画の可否情報は、第１の権限の一例であり、一時的描画の可否情報は、第２の権限の一例である。また、通信ＩＤまたは名称は、描画情報が入力された入力側を示す入力側情報の一例である。
【０１０５】
描画権限管理テーブル５０５に含まれる描画権限情報５０５０は、関連づけられた通信ＩＤに対応する伝送端末４０に、それぞれ送信される。描画権限情報５０５０を受信した伝送端末４０に接続された情報処理装置１０は、上述の描画権限管理ＤＢ１００１に描画権限情報５０５０を記憶して管理する。ユーザは、情報処理装置１０が有する表示権限に対応する描画種別に基づいて、描画情報の入力（手書き入力）を行うことができる。
【０１０６】
なお、描画権限管理テーブル５０５に含まれる描画権限情報５０５０は、これに限られず、描画情報の入力ができない旨の権限を付与してもよい。また、描画権限管理テーブル５０５は、宛先リスト管理テーブル５０３を含んで、一つのテーブルとして有していてもよい。
【０１０７】
●画像共有方法
続いて、画像共有システムにおける画像共有方法について説明する。図１３は、第１の実施形態に係る画像共有システムにおける画像共有処理の一例を示すフローチャートである。なお、図１３は、複数の情報処理装置１０において、描画情報（手書き内容）が共有される処理を簡略的に説明したものである。各ステップの処理の詳細は、後述の図面を用いて説明する。
【０１０８】
まず、ステップＳ１０１において、情報処理装置１０ａに接続された伝送端末４０ａは、他の伝送端末との通信を開始するための処理を実行する。具体的には、伝送端末４０ａは、例えば、会議資料等の画像データの共有先である情報処理装置１０ｂに接続された伝送端末４０ｂとの間で通信を開始するため、伝送端末４０ｂとの間でセッションを確立する。
【０１０９】
ステップＳ１０２において、他の伝送端末４０とのセッションが確立された伝送端末４０ａに接続した情報処理装置１０ａは、自らの描画権限情報５０５０に基づく描画種別である入力方式を選択する。具体的には、情報処理装置１０ａは、通信管理装置９０の記憶部９０００に記憶された描画権限管理テーブル５０５に含まれる描画権限情報５０５０を取得する。そして、情報処理装置１０ａは、取得した描画権限情報５０５０に基づいて、描画情報の入力を行うための描画種別である入力方式を選択する。描画種別は、例えば、図１２に示した通常描画および一時的描画である。
【０１１０】
ステップＳ１０３において、情報処理装置１０ａは、ステップＳ１０２の処理において選択した入力方式に基づいて、ユーザからの描画情報の入力を受け付ける。
【０１１１】
ステップＳ１０４において、情報処理装置１０ａに接続された伝送端末４０ａは、セッション相手である伝送端末４０ｂへ、受け付けられた描画情報の画像データを送信する。そして、伝送端末４０ｂに接続した情報処理装置１０ｂは、伝送端末４０ｂから出力された情報処理装置１０ａに描画された描画画面を表示させる。
【０１１２】
これによって、画像共有システムは、描画情報が入力された入力側のユーザ（情報処理装置１０）が権限を有する入力方式に応じて、入力された描画情報を、情報処理装置１０ａと情報処理装置１０ｂのそれぞれに共有して表示させることができる。
【０１１３】
〇セッション確立処理
ここで、図１３に示したステップ１０１における伝送端末４０間のセッション確立処理の詳細を説明する。図１４は、第１の実施形態に係る画像共有システムにおいて、伝送端末間で通信を開始する準備を行い、セッションを確立する処理の一例を示すシーケンス図である。図１４は、伝送端末４０ａから伝送端末４０ｂへ、通信の開始要求が行われる場合の例を説明する。
【０１１４】
ステップＳ２０１において、伝送端末４０ａのユーザが、電源スイッチ４０９をＯＮにした場合、入出力部４２は、電源オンを受け付け、伝送端末４０ａの電源をＯＮにする。
【０１１５】
ステップＳ２０２において、電源オンを受け付けた場合、伝送端末４０ａのログイン要求部４３は、通信ネットワーク２を介して通信管理装置９０へ、ログイン要求を示すログイン要求情報を送信する。このログイン要求情報は、要求元端末である伝送端末４０ａを識別するための端末ＩＤおよびパスワードを含む。端末ＩＤおよびパスワードは、記憶・読出部４５を介して記憶部４０００から読み出され、送受信部４１に送られたデータである。なお、端末ＩＤは、要求元を識別するための通信ＩＤの一例であり、要求元端末（伝送端末４０ａ）を利用するユーザのユーザＩＤまたはアカウント名等であってもよい。
【０１１６】
伝送端末４０ａから通信管理装置９０へログイン要求情報が送信された場合、受信側である通信管理装置９０は、送信側である伝送端末４０ａのＩＰアドレスを把握することができる。また、ログイン要求は、上述のように、電源オンではなく、ユーザの指示入力を契機としてもよい。さらに、端末ＩＤおよびパスワードは、要求元端末（伝送端末４０ａ）に、ユーザが入力できるようにしてもよい。
【０１１７】
ステップＳ２０３において、通信管理装置９０の認証部９２は、送受信部９１を介して受信したログイン要求情報に含まれる端末ＩＤおよびパスワードを検索キーとして、認証管理テーブル５０１を検索する。そして、認証部９２は、認証管理テーブル５０１に同一の端末ＩＤおよび同一のパスワードが管理されているかを判断することによって、認証処理を行う。すなわち、認証部９２は、認証管理テーブル５０１に同一の端末ＩＤおよび同一のパスワードが管理されており、正当な利用権限を有する伝送端末４０からのログイン要求であると判断した場合、認証処理を行う。
【０１１８】
ステップＳ２０４において、認証部９２によって同一の端末ＩＤおよび同一のパスワードが管理されていると判断された場合、記憶・読出部９５は、状態管理テーブル５０２に伝送端末４０ａの端末ＩＤ、端末の種類および宛先名で示されるレコードごとに、稼動状態、上記ログイン要求情報が受信された受信日時および伝送端末４０ａのＩＰアドレスを関連づけて記憶する。
【０１１９】
ステップＳ２０５において、通信管理装置９０の送受信部９１は、認証部９２によって得られた認証結果が示された認証結果情報を、通信ネットワーク２を介して、ログイン要求してきた要求元端末（伝送端末４０ａ）へ送信する。
【０１２０】
ステップＳ２０６において、通信管理装置９０の記憶・読出部９５は、ログイン要求してきた要求元端末（伝送端末４０ａ）の端末ＩＤ「０１ａａ」に基づいて、宛先リスト管理テーブル５０３を検索することにより、上記要求元端末（伝送端末４０ａ）の端末ＩＤ「０１ａａ」を通信相手の候補として登録している他の要求元端末の端末ＩＤを抽出する。以下、ステップＳ２０６において抽出された端末ＩＤが、伝送端末４０ｂの端末ＩＤ「０１ｂｂ」である場合について、説明する。
【０１２１】
ステップＳ２０７において、送受信部９１は、伝送端末４０ｂへ、要求元端末（伝送端末４０ａ）の端末ＩＤ「０１ａａ」と、要求元端末（伝送端末４０ａ）の稼動状態を示した稼動状態情報とが含まれた「端末の状態情報」を送信する。これにより、伝送端末４０ｂの送受信部４１は、伝送端末４０ａの状態情報を受信する。
【０１２２】
この後、伝送端末４０ａは、通信管理装置９０の宛先リスト管理テーブル５０３に登録された宛先端末ＩＤを要求し、宛先リスト情報（端末ＩＤ、宛先名）および各端末の稼働状態を取得する。伝送端末４０ａは、宛先リストを一覧表示する宛先リスト画面をディスプレイ４２０に表示する。ステップＳ２０８において、ユーザが、宛先リスト一覧の中から通信を開始する宛先の端末を選択した場合、入出力部４２は、宛先端末（伝送端末４０ｂ）との通信を開始する要求を受け付ける。
【０１２３】
ステップＳ２０９において要求元端末（伝送端末４０ａ）の送受信部４１は、要求元端末（伝送端末４０ａ）の端末ＩＤ「０１ａａ」、および宛先端末（伝送端末４０ｂ）の端末ＩＤ「０１ｂｂ」が含まれ、通信を開始したい旨を示す開始要求情報を、通信管理装置９０へ送信する。これにより、通信管理装置９０の送受信部９１は、上記開始要求情報を受信するとともに、送信元である要求元端末（伝送端末４０ａ）のＩＰアドレス「１．２．１．３」を受信することができる。
【０１２４】
ステップＳ２１０において、記憶・読出部９５は、状態管理テーブル５０２のうち、開始要求情報に含まれる要求元端末（伝送端末４０ａ）の端末ＩＤ「０１ａａ」および宛先端末（伝送端末４０ｂ）の端末ＩＤ「０１ｂｂ」のそれぞれに対応するレコードの稼動状態のフィールド部分を、ともに「オンライン（通信可能）」から「オンライン（通信中）」に変更する。
【０１２５】
ステップＳ２１１において、記憶・読出部９５は、記憶部９０００のセッション管理テーブル５０４に、利用される中継装置７０の中継装置ＩＤ「１１１ａ」、要求元端末（伝送端末４０ａ）の端末ＩＤ「０１ａａ」および宛先端末（伝送端末４０ｂ）の端末ＩＤ「０１ｂｂ」を関連づけて記憶する。この場合、利用される中継装置７０は、例えば、要求元端末（伝送端末４０ａ）のＩＰアドレスに近いＩＰアドレスの中継装置が選ばれる。
【０１２６】
ステップＳ２１２において、描画権限管理部９３は、記憶部９０００の描画権限管理テーブル５０５に記憶された、開始要求情報に含まれる要求元端末（伝送端末４０ａ）の端末ＩＤ「０１ａａ」および宛先端末（伝送端末４０ｂ）の端末ＩＤ「０１ｂｂ」のそれぞれに対応する権限情報を読み出す。
【０１２７】
ステップＳ２１３において、通信管理装置９０の送受信部９１は、中継装置７０に対して、セッション初期化要求情報を送信する。これにより、中継装置７０は、セッション初期化要求情報を受信する。このセッション初期化要求情報は、中継装置７０の通信セッションを初期化する命令である。セッション初期化要求情報は、要求元端末（伝送端末４０ａ）のＩＰアドレス「１．２．１．３」、宛先端末（伝送端末４０ｂ）のＩＰアドレス「１．３．２．３」、並びに要求元端末（伝送端末４０ａ）および宛先端末（伝送端末４０ｂ）の描画権限情報５０５０が含まれる。各ＩＰアドレスは、状態管理テーブル５０２において、ステップＳ２０９によって受信された要求元端末（伝送端末４０ａ）の端末ＩＤおよび宛先端末（伝送端末４０ｂ）の端末ＩＤにそれぞれ対応するＩＰアドレスである。
【０１２８】
ステップＳ２１４において、中継装置７０は、ステップＳ２１３によって受信した要求元端末（伝送端末４０ａ）のＩＰアドレス「１．２．１．３」に基づいて、要求元端末（伝送端末４０ａ）へセッション開始指示情報および要求元端末（伝送端末４０ａ）の描画権限情報５０５０を送信する。このセッション開始指示情報は、要求元端末（伝送端末４０ａ）に通信セッションを開始する指示である。伝送端末４０ａは、受信した描画権限情報５０５０を、情報処理装置１０ａへ出力する。情報処理装置１０ａは、伝送端末４０ａから出力された描画権限情報５０５０を、描画権限管理ＤＢ１００１に記憶して管理する。また、中継装置７０は、宛先端末（伝送端末４０ｂ）へ、中継装置７０のＩＰアドレス「１．２．１．２」も送信する。
【０１２９】
ステップＳ２１５において、中継装置７０は、ステップＳ２１３によって受信した宛先端末（伝送端末４０ｂ）のＩＰアドレス「１．３．２．３」に基づいて、宛先端末（伝送端末４０ｂ）にセッション開始指示情報および宛先端末（伝送端末４０ｂ）の描画権限情報５０５０を送信する。このセッション開始指示情報は、宛先端末（伝送端末４０ｂ）に通信セッションを開始する指示である。伝送端末４０ｂは、受信した描画権限情報５０５０を、情報処理装置１０ｂへ出力する。情報処理装置１０ｂは、伝送端末４０ｂから出力された描画権限情報５０５０を、描画権限管理ＤＢ１００１に記憶して管理する。また、中継装置７０は、宛先端末（伝送端末４０ｂ）へ、中継装置７０のＩＰアドレス「１．２．１．２」も送信する。
【０１３０】
ステップＳ２１６において、要求元端末（伝送端末４０ａ）は、中継装置７０との間で、第１のセッションｓｅｄ１が確立される。また、ステップＳ２１７において、宛先端末（伝送端末４０ｂ）は、中継装置７０との間で、第２のセッションｓｅｄ２が確立される。これにより、要求元端末（伝送端末４０ａ）と宛先端末（伝送端末４０ｂ）との間で通信が開始され、通信画面が要求元端末（伝送端末４０ａ）側と宛先端末（伝送端末４０ｂ）に接続された情報処理装置１０のディスプレイ１１５に表示される。
る。
【０１３１】
これによって、要求元端末である伝送端末４０ａと宛先端末である伝送端末４０ｂは、中継装置７０を介した通信を確立することができる。なお、通信管理装置９０に中継装置７０の機能が含まれる場合、伝送端末４０ａと伝送端末４０ｂは、通信管理装置９０を介した通信を確立する。
【０１３２】
〇表示画像の共有処理
図１５は、第１の実施形態に係る画像共有システムにおいて、複数の情報処理装置において表示画像を共有する処理の一例を示すシーケンス図である。図１５は、伝送端末４０ａに接続されている情報処理装置１０ａが表示している表示画面を、伝送端末４０ｂに接続されている情報処理装置１０ｂに表示させる例を説明する。
【０１３３】
図１４に示したように、中継装置７０が決定された場合、ステップＳ３０１において、通信管理装置９０の送受信部９１は、中継装置ＩＤ「１１１ａ」、宛先端末（伝送端末４０ｂ）のＩＰアドレス「１．３．２．４」を、伝送端末４０ａの送受信部４１へ、送信する。ステップＳ３０２において、伝送端末４０ａの記憶・読出部４５は、送受信部４１によって受信された中継装置ＩＤ「１１１ａ」および宛先端末（伝送端末４０ｂ）のＩＰアドレス「１．３．２．４」を、記憶部４０００に記憶させる。
【０１３４】
ステップＳ３０３において、外部入力装置５０ａは、記憶された会議資料等の画像データを、情報処理装置１０ａへ出力する。ステップＳ３０４において、情報処理装置１０ａの生成部１４は、出力された画像データを用いて表示画像を生成する。ステップＳ３０５において、情報処理装置１０ａの表示制御部１５は、生成された生成画像を、ディスプレイ１１５に表示させる。
【０１３５】
ステップＳ３０６において、外部入力装置５０ａから送信された画像データが受信部１１によって受信された場合、情報処理装置１０ａの送信部１２は、受信された出力画像を伝送端末４０ａへ送信する。なお、情報処理装置１０ａにおけるステップＳ３０４〜ステップＳ３０５の処理とステップＳ３０６の処理の順序は、前後してもよく、または並行して行われてもよい。
【０１３６】
ステップＳ３０７において、伝送端末４０ａの記憶・読出部４５は、情報処理装置１０ａから出力された画像データの入力が入出力部４２によって検知された場合、記憶部４０００に記憶されている中継装置ＩＤ「１１１ａ」および宛先となる伝送端末４０ｂのＩＰアドレス「１．３．２．４」を取得する。
【０１３７】
ステップＳ３０８において、伝送端末４０ａの送受信部４１は、ステップＳ３０７において取得された中継装置ＩＤ「１１１ａ」で示される中継装置７０へ、画像データおよび宛先端末（伝送端末４０ｂ）のＩＰアドレス「１．３．２．４」を送信する。
【０１３８】
ステップＳ３０９において、中継装置７０は、受信した画像データを、宛先端末（伝送端末４０ｂ）へ送信する。ステップＳ３１０において、伝送端末４０ｂは、情報処理装置１０ｂへ受信した画像データを出力する。
【０１３９】
ステップＳ３１１において、情報処理装置１０ｂの生成部１４は、受信部１１によって受信された画像データを用いて、ディスプレイ１１５に表示させる表示画像を生成する。ステップＳ３１２において、情報処理装置１０ｂの表示制御部１５は、生成部１４によって生成された生成画像を、ディスプレイ１１５に表示させる。
【０１４０】
これによって、情報処理装置１０ａと情報処理装置１０ｂは、それぞれに接続された伝送端末４０ａと伝送端末４０ｂとの間で画像データを送受信することによって、それぞれに表示される表示画像を共有することができる。
【０１４１】
〇描画情報の表示制御
次に、図１６乃至図２５を用いて、複数の拠点に設定された情報処理装置１０の間において共有して表示される描画情報の表示制御について説明する。図１６は、第１の実施形態に係る情報処理装置において、描画情報の入力を受け付ける入力画面の生成処理の一例を示すフローチャートである。
【０１４２】
ステップＳ４０１において、情報処理装置１０の生成部１４は、受信部１１によって画像データが受信された場合、処理をステップＳ４０２へ移行させる。
【０１４３】
ステップＳ４０２において、情報処理装置１０の生成部１４は、記憶部１０００に記憶された描画権限管理テーブル５０５の読み出しを行う。具体的には、生成部１４は、記憶・読出部１６へ描画権限情報５０５０の読出要求を出力する。記憶・読出部１６は、出力された読出要求を検知した場合、記憶部９０００に含まれる描画権限管理ＤＢ９００５に記憶された描画権限情報５０５０を読み出す。そして、記憶・読出部１６は、読み出した描画権限管理テーブル５０５を、生成部１４へ出力する。
【０１４４】
ステップＳ４０３において、生成部１４は、読み出した描画権限管理テーブル５０５に含まれる描画権限情報５０５０に基づいて通常描画が可能であると判断した場合、処理をステップＳ４０４へ移行させる。ステップＳ４０４において、生成部１４は、表示画像に対して、通常描画入力可能アイコン（後述する図１７に示す操作アイコン６０３が選択可能な状態）を設定する。一方で、ステップＳ４０３において、生成部１４は、読み出した描画権限管理テーブル５０５に含まれる描画権限情報５０５０に基づいて通常描画が不可能であると判断した場合、処理をステップＳ４０５へ移行させる。ステップＳ４０５において、生成部１４は、表示画像に対して、通常描画入力不可アイコン（後述する図１７に示す操作アイコン６０３が選択できない状態）を設定する。
【０１４５】
ステップＳ４０６において、生成部１４は、読み出した描画権限管理テーブル５０５に含まれる描画権限情報５０５０に基づいて一時的描画が可能であると判断した場合、処理をステップＳ４０７へ移行させる。ステップＳ４０７において、生成部１４は、表示画像に対して、一時的描画入力可能アイコン（後述する図１７に示す操作アイコン６０２が選択可能な状態）を設定する。一方で、ステップＳ４０６において、生成部１４は、読み出した描画権限管理テーブル５０５に含まれる描画権限情報５０５０に基づいて、一時的描画が不可能であると判断した場合、処理をステップＳ４０８へ移行させる。ステップＳ４０８において、生成部１４は、表示画像に対して、一時的描画入力不可のアイコン（後述する図１７に示す操作アイコン６０３が選択できない状態）を設定する。ステップＳ４０９において、生成部１４は、設定内容に基づいて、入力画面を生成する。
【０１４６】
なお、入力画面は、それぞれの描画権限情報５０５０に対応する画像データとして、記憶部９０００に予め記憶されていてもよい。この場合、生成部１４は、ステップＳ４０２において読み出した描画権限管理テーブル５０５に含まれる描画権限情報５０５０に対応する画像データを選択して、記憶部９０００から読み出す。
【０１４７】
図１７および図１８を用いて、各拠点の情報処理装置１０に表示される表示画像の例を説明する。図１７は、第１の実施形態に係る通常描画権限および一時的描画権限を有する情報処理装置に表示される表示画面の一例を示す図である。図１７に示す表示画面は、例えば、サービス提供を受ける顧客環境に設置される情報処理装置１０ａにおいて表示される表示画面である。
【０１４８】
図１７（ａ）は、図１６に示したステップＳ４０９の処理によって生成された表示画像の一例を示す。図１７（ａ）に示す表示画像は、描画対象の画像データ６０１に描画種別をユーザに選択させるための操作アイコンが付加されている。操作アイコン６０２は、一時的描画情報の入力を行うためのアイコンであり、操作アイコン６０３は、通常描画情報の入力を行うためのアイコンである。図１７（ａ）に示す表示画像は、操作アイコン６０２と操作アイコン６０３の双方が選択可能な状態である。
【０１４９】
図１７（ｂ）は、相手拠点において描画情報の入力が行われた場合の表示画像である。図１７（ｂ）に示す表示画像に含まれる描画情報６０５は、相手拠点において手書き入力された描画情報である。また、図１７（ｂ）に示す表示画面は、相手拠点の名称６０４が表示されている。図１７（ｂ）に示す表示画面は、例えば、相手拠点の名称６０４として「コンシェルジュＢ」が表示されている。
【０１５０】
図１７（ｃ）は、自拠点において描画情報の入力を実施した場合の表示画面である。図１７（ｃ）に示す表示画像は、通常描画の入力を行うための操作アイコン６０３がユーザによって選択された状態である。図１７（ｃ）に示す表示画面は、操作アイコン６０３がユーザによって選択されることによって、操作アイコン６０３の表示が変化する。そして、自拠点のユーザが描画情報の入力を行った描画情報６０６は、情報処理装置１０に反映される。描画情報６０６は、通常描画権限を有する描画情報である。
【０１５１】
相手拠点による手書き内容である描画情報６０５は、一時的手書き権限であるため、所定の時間が経過することにより、消去される。描画情報６０５は、図１７（ｃ）に示すように、徐々に薄くなって消去されても良い。
【０１５２】
続いて、サービス提供を行うサービス提供者の環境に設置される情報処理装置１０ｂにおいて表示される表示画面について説明する。図１８は、通常描画権限を有さないが、一時的描画権限を有する情報処理装置に表示される表示画面の一例を示す図である。
【０１５３】
図１８（ａ）は、図１６に示したステップＳ４０９の処理によって生成された表示画像の一例を示す。図１８（ａ）に示す表示画像は、操作アイコン６０２が選択可能な状態であり、操作アイコン６０３が選択できない状態である。これは、情報処理装置１０ｂが一時的描画権限を有するが、通常描画権限を有さないためである。図１８（ａ）に示す表示画面、図１６に示したステップＳ４０５の処理を経て生成部１４によって生成された表示画像である。
【０１５４】
図１８（ｂ）は、自拠点において描画情報の入力が行われた場合の表示画像である。図１８（ｂ）に示す表示画像は、一時的描画情報の入力を行うための操作アイコン６０２がユーザによって選択された状態である。この状態において入力される手書き内容である描画情報は、一時的描画の権限を有する。図１８（ｂ）の表示画面は、一時的描画として、情報処理装置１０ｂのユーザが入力した描画情報６０５を含む。図１８（ｂ）に示す描画情報６０５は、図１７（ｂ）の表示画面と対応している。
【０１５５】
図１８（ｃ）は、相手拠点において描画情報の入力が実施された場合の表示画面である。図１８（ｃ）の表示画面は、相手拠点のユーザが描画情報の入力を行った描画情報６０６は、情報処理装置１０ａに反映される。描画情報６０６は、通常描画権限を有する描画情報である。また、図１８（ｃ）に示す表示画面において、自拠点による手書き内容である描画情報６０５は、一時的描画権限を有するため、所定の時間が経過することにより、消去される。描画情報６０５は、図１８（ｃ）に示すように、徐々に薄くなって消去されても良い。また、図１８（ｃ）に示す表示画面は、相手拠点の名称６０４が表示されている。図１８（ｃ）に示す表示画面は、例えば、相手拠点の名称６０４として「ＸツーリストＡ店」が表示されている。図１８（ｃ）に示す各描画情報は、図１７（ｃ）の表示画面と対応している。
【０１５６】
なお、図１７および図１８に示した表示画面において、いずれの操作アイコンも選択されなかった場合、情報処理装置１０は、いずれかの優先的に適用する描画権限を予め設定しておいてもよい。例えば、情報処理装置１０ｂは、図１８に示すように、一時的描画権限のみを有するため、操作アイコンが選択されなかった場合、自動的に一時的描画の描画権限が適用される。一方で、情報処理装置１０ａは、図１７に示すように、通常描画権限と一時的描画権限を有するため、いずれの操作アイコンも選択されなかった場合、予め設定された描画権限が優先的に適用される。
【０１５７】
また、図１７および図１８に示した表示画面において、いずれの操作アイコンも選択されなかった場合、情報処理装置１０は、いずれかの描画種別を選択することをユーザに要求するメッセージを、表示画面に表示させてもよい。
【０１５８】
続いて、図１９乃至図２３は、情報処理装置１０の生成部１４による表示画像の生成処理について説明する。図１９は、第１の実施形態に係る情報処理装置に表示される表示画像における複数の画像の重畳の一例を説明するための図である。図１９に示すように、情報処理装置１０に表示される表示画像は、ＵＩ画像（Ａ）のためのレイヤと、描画画像（Ｂ）のためのレイヤと、ＰＣ出力画像（Ｃ）のためのレイヤと、背景画像（Ｄ）のためのレイヤとが設けられている。表示画像は、ユーザ側から見た場合、ＵＩ画像（Ａ）が１層目、描画画像（Ｂ）が２層目、ＰＣ出力画像（Ｃ）が３層目、背景画像（Ｄ）が４層目となるように重畳される。
【０１５９】
ＵＩ画像（Ａ）は、例えば、図１７および図１８に示した操作アイコン（操作アイコン６０２または操作アイコン６０３）を含むＵＩ画像である。ＵＩ画像（Ａ）は、図１６に示した処理により、生成部１４によって生成される入力画面の画像データである。描画画像（Ｂ）は、例えば、入力受付部１３によって受け付けられた描画情報、および表示データの共有先である他の情報処理装置１０に入力された描画情報を含む画像である。ＰＣ出力画像（Ｃ）は、例えば、外部入力装置５０から出力された画像データ、および表示データの共有先である他の情報処理装置１０から送信された画像データを含む画像である。背景画像（Ｄ）は、重畳される画像のうち、最背面に配置される画像である。
【０１６０】
生成部１４は、受信部１１から取得したＰＣ出力画像（Ｃ）、入力受付部１３から取得した描画画像（Ｂ）、ならびに、ＵＩ画像（Ａ）および背景画像（Ｄ）を重畳した表示画像を生成する。表示制御部１５は、ＰＣ出力画像（Ｃ）と背景画像（Ｄ）を切り替えて、ＵＩ画像（Ａ）および描画画像（Ｂ）に、排他的に重畳して表示させることも可能である。例えば、当初、ＵＩ画像（Ａ）、描画画像（Ｂ）およびＰＣ出力画像（Ｃ）が表示されている状態で情報処理装置１０と外部入力装置５０との間のケーブルが抜かれた場合、表示制御部１５は、生成部１４からの指示に基づいて、ＰＣ出力画像（Ｃ）を重畳対象から外して、背景画像（Ｄ）を表示させることができる。また、表示制御部１５は、表示の拡大、表示の縮小、表示領域の移動処理も行う。
【０１６１】
なお、伝送端末４０からテレビ会議用の映像のデータが送信される場合、生成部１４は、重畳画像（Ａ、Ｂ、Ｃ）にピクチャーインピクチャーによりテレビ会議用の映像のデータを重畳して、ディスプレイ１１５に出力してもよい。
【０１６２】
次に、描画情報の入力（手書き入力）が行われた情報処理装置１０に記憶される描画データについて説明する。図２０は、ページデータの一例を説明するための図である。ページデータは、ページデータＩＤ、開示時刻、終了時刻、ストローク配列データＩＤおよびメディアデータＩＤを含んでいる。ページデータＩＤは、ページを識別するためのＩＤである。開示時刻は、そのページの表示を開始した時刻である。終了時刻は、ページデータの更新が終了した時刻である。
【０１６３】
ストローク配列データＩＤは、「ストローク描画」イベントによって生成されたストローク配列データを識別するためのＩＤである。「ストローク描画」は、ユーザによる描画情報の入力処理を示す。「ストローク描画」は、例えば、ユーザが電子ペン２４００をディスプレイ１１５に押しつけ、この状態で電子ペン２４００を移動させ、ディスプレイ１１５から電子ペン２４００を離すまでのイベントである。
【０１６４】
メディアデータＩＤは、メディアデータを識別するためのＩＤである。ストローク配列データは、ストローク画像をディスプレイ１１５上に表示するためのデータである。メディアデータは、背景画像（Ｄ）をディスプレイ１１５上に表示するためのデータである。
【０１６５】
ストローク画像に関するデータは、ストローク配列データＩＤと関連づけされているストローク配列データとして、ページデータの一部を構成する。ＰＣ出力画像（Ｃ）に関するデータは、メディアデータＩＤと関連づけされているメディアデータとして、ページデータの一部を構成する。そして、メディアデータは、背景画像（Ｄ）のデータとして取り扱われる。
【０１６６】
生成部１４は、画像データ管理ＤＢ１００２に記憶されたページデータにおけるメディアデータを、背景画像（Ｄ）として、ディスプレイ１１５に表示させる。また、生成部１４は、画像データ管理ＤＢ１００２に記憶されたページデータにおけるストローク配列データを用いて、ストローク画像の再編集ができる状態にすることができる。さらに、生成部１４は、ページデータを削除したり複製したりすることもできる。すなわち、生成部１４が画像データ管理ＤＢ１００２にページデータを記憶する時点でディスプレイ１１５上に表示されているＰＣ出力画像（Ｃ）のデータは、画像データ管理ＤＢ１００２に記憶される。そして、ＰＣ出力画像（Ｃ）のデータは、画像データ管理ＤＢ１００２から読み出される場合、背景画像（Ｄ）を示すメディアデータとして読み出される。
【０１６７】
図２１は、ストローク配列データの一例を説明するための図である。一つのストローク配列データは、複数のストロークデータから構成されている。各ストロークデータは、「ストローク描画」イベントごとに生成される。
【０１６８】
例えば、ユーザが電子ペン２４００でアルファベットの「Ｓ」を描く場合、一筆書きとなるため、ストロークデータは、一つのストロークデータＩＤで、一文字のアルファベットの［Ｓ］が示される。また、例えば、ユーザが電子ペン２４００でアルファベットの「Ｔ」を描く場合、二筆書きとなるため、ストロークデータは、二つのストロークデータＩＤで、一文字のアルファベットの「Ｔ」が示されることになる。
【０１６９】
各ストロークデータは、ストロークデータＩＤ、開始時刻、終了時刻、色、幅および座
標配列データＩＤを含んでいる。ストロークデータＩＤは、そのストロークデータを識別するためのＩＤである。開始時刻は、そのストロークの書き始めの時刻である。終了時刻は、そのストロークの書き終わりの時刻である。色は、そのストロークの色である。幅は、そのストロークの幅である。座標配列データＩＤは、そのストロークの通過点に関する情報が含まれる座標配列データを識別するためのＩＤである。
【０１７０】
図２２は、座標配列データの一例を説明するための図である。座標配列データは、ストロークが通過した複数の点（通過点）について、通過点ごとに、ディスプレイ１１５上での位置（Ｘ座標値、Ｙ座標値）、該位置を通過したときのストロークの開示時刻からの差分の時刻（ｍ秒）、および該位置における電子ペン２４００の筆圧を情報として含んでいる。例えば、ユーザが電子ペン２４００でアルファベットの「Ｓ」を描く場合、一筆書きとなるが、「Ｓ」を描き終えるまでに、複数の通過点を通過する。そのため、座標配列データは、これら複数の通過点の情報を含んでいる。
【０１７１】
図２３は、メディアデータの一例を説明するための図である。各メディアデータは、メディアデータＩＤ、データの種類、記録時刻、Ｘ座標値、Ｙ座標値、幅、高さおよびデータを含んでいる。
【０１７２】
メディアデータＩＤは、メディアデータを識別するためのＩＤである。データの種類は、メディアデータの種類である。記録時刻は、記憶部１０００にページデータが記憶された時刻である。Ｘ座標値とＹ座標値は、ページデータに基づいてディスプレイ１１５上に表示される画像の位置である。幅と高さは、画像のサイズである。データは、メディアデータの内容を示している。このうち、ページデータに基づいてディスプレイ１１５上に表示される画像の位置は、ディスプレイ１１５の左上端の座標を（Ｘ座標値，Ｙ座標値）＝（０，０）としたときの、該画像の左上端の位置を示している。
【０１７３】
図２４は、第１の実施形態に係る画像共有システムにおける描画画像を共有するためのシーケンス図である。図２４は、情報処理装置１０ａに入力された描画情報が、情報処理装置１０ｂに共有される例を説明する。
【０１７４】
ステップＳ５０１において、情報処理装置１０ａの表示制御部１５は、生成部１４によって生成された表示画像を、ディスプレイ１１５に表示させる。ステップＳ５０２において、情報処理装置１０ａの入力受付部１３は、ユーザからの描画情報の入力を受け付ける（受付ステップの一例）。
【０１７５】
ステップＳ５０３において、情報処理装置１０ａの送信部１２は、伝送端末４０ａへ描画画像の画像データを送信する。描画画像の画像データは、図２０〜図２３に示した各描画データである、ステップＳ５０４において、伝送端末４０ａの送受信部４１は、情報処理装置１０ａから出力された描画画像の画像データを、中継装置７０へ送信する。ステップＳ５０５において、中継装置７０は、伝送端末４０ａから送信された描画画像の画像データを受信した場合、受信した描画画像の画像データを、伝送端末４０ｂへ送信する。
【０１７６】
ステップＳ５０６において、伝送端末４０ｂの入出力部４２は、送受信部４１によって中継装置７０から送信された描画画像の画像データを受信した場合、受信した描画画像の画像データを、情報処理装置１０ｂへ出力する。ステップＳ５０７において、情報処理装置１０ｂの生成部１４は、出力された描画画像の画像データを用いて、ディスプレイ１１５に表示させる表示画像を生成する。具体的には、生成部１４は、図１９に示したように、出力された描画画像と、ＵＩ画像（Ａ）、ＰＣ出力画像（Ｃ）および背景画像（Ｄ）とを重畳させることによって、表示画面を生成する。ステップＳ５０８において、情報処理装置１０ｂの表示制御部１５は、生成部１４によって生成された、描画画像を含む表示画像をディスプレイ１１５に表示させる
【０１７７】
図２５は、第１の実施形態に係る情報処理装置に表示された表示データに描画された描画情報の表示制御処理の一例を示すフローチャートである。図２５に示す描画情報の表示制御処理は、表示制御ステップの一例である。
【０１７８】
ステップＳ６０１において、情報処理装置１０の表示制御部１５は、描画画像を含む表示画像を、ディスプレイ１１５に表示させる。ステップＳ６０２において、表示制御部１５は、表示された描画画像の描画種別が、一時的描画である場合、処理をステップＳ６０３へ移行させる。一方で、表示制御部１５は、表示された描画画像の描画種別が、一時的描画でない場合、処理を終了する。
【０１７９】
ステップＳ６０３において、表示制御部１５は、一時的描画である描画情報が入力された後、所定の条件を満たした場合、処理をステップＳ６０４へ移行させる。具体的には、表示制御部１５は、例えば、一時的描画である描画情報の入力から所定の時間経過した場合、処理をステップＳ６０４へ移行させる。一方で、表示制御部１５は、所定の条件を満たしていない場合、ステップＳ６０３の処理を繰り返す。
【０１８０】
ステップＳ６０４において、表示制御部１５は、所定の条件を満たしたため、表示画面から描画情報を消去する。なお、描画画像の消去は、条件を満たした場合に段階的に消去する構成であってもよい。
【０１８１】
これによって、情報処理装置１０は、一時的描画として入力された描画情報が所定の条件に基づいて消去させるため、通常描画として入力された描画情報のみを表示させることができる。
【０１８２】
●第１の実施形態の効果
以上説明したように、第１の実施形態に係る画像共有システムは、複数の情報処理装置１０に表示される表示画像を共有する画像共有システムであって、情報処理装置１０のディスプレイ１１５に描画情報の入力を受け付ける。画像共有システムは、描画情報が入力された入力側のユーザ（または情報処理装置１０）を示す入力側情報に、入力された描画情報の表示権限が関連づけられた描画権限情報５０５０を記憶して管理する。そして、情報処理装置１０は、記憶された描画権限情報５０５０に基づいて、描画情報の表示を制御する。そのため、第１の実施形態に係る画像共有システムは、情報処理装置１０に入力された描画情報が複数の情報処理装置１０間で共有される場合において、描画情報を入力した入力側が有する描画情報の表示権限に応じて、それぞれの情報処理装置１０に表示される描画情報の表示を制御することで、利便性を向上させることができる。
【０１８３】
●第１の実施形態の変形例１●
次に、第１の実施形態の変形例１について説明する。第１の実施形態の変形例１に係る画像共有システムは、描画情報が入力された入力側および描画情報の共有先ごとに、描画共有情報５０５１として描画権限情報５０５０ａが関連づけて管理されている。これによって、第１の実施形態の変形例１に係る画像共有システムは、例えば、描画情報が入力された入力側のユーザが同じであっても共有先のユーザが異なる場合、異なる表示権限を用いて描画情報の表示を制御することができる。
【０１８４】
図２６は、第１の実施形態の変形例１に係る描画権限管理テーブルの一例を示す図である。図２６に示す描画権限管理テーブル５０５ａは、複数の拠点間における通信の要求元および宛先を一組（通信Ｎｏ.）として、要求元を示す通信ＩＤおよび名称、並びに宛先を示す通信ＩＤおよび名称（描画共有情報５０５１）に、それぞれ入力された描画情報の表示権限を示す描画権限情報５０５０ａを関連づけて記憶して管理されている。なお、描画権限情報５０５０ａに含まれる描画種別（通常描画および一時的描画）は、図１２に示した描画権限管理テーブル５０５と同様である。
【０１８５】
描画共有情報５０５１は、描画情報が入力された入力側および入力された描画情報の共有先の通信ＩＤ、並びに通信ＩＤに対応する通信先の名称の情報が含まれる。通信ＩＤは、画像共有システムにおいて、描画情報が入力された入力側および入力された描画情報の共有先を特定するための情報である。それぞれの通信ＩＤは、例えば、伝送端末４０の識別情報（端末ＩＤ）、伝送端末４０のユーザの識別情報（ユーザＩＤ）およびアカウント名等である。なお、端末ＩＤは、伝送端末４０に接続された情報処理装置１０を識別するための端末ＩＤであってもよい。
【０１８６】
例えば、描画情報が入力された入力側が通信ＩＤ「０１ｂｂ」、名称「コンシェルジュＢ」であり、描画情報の共有先が通信ＩＤ「０１ａｂ」、名称「コンシェルジュＣ」である場合（通信Ｎｏ.４）、入力側である通信ＩＤ「０１ｂｂ」に対応するユーザは、通常描画が不可能（不可）であり、一時的描画が可能（可）である。また、共有先である通信ＩＤ「０１ａｂ」に対応するユーザは、通常描画が可能（可）であり、一時的描画も可能（可）である。
【０１８７】
一方で、描画情報が入力された入力側が通信ＩＤ「０１ａｂ」、名称「コンシェルジュＣ」であり、描画情報の共有先が通信ＩＤ「０１ｂｂ」、名称「コンシェルジュＢ」である場合（通信Ｎｏ.６）、入力側である通信ＩＤ「０１ａｂ」に対応するユーザは、通常描画が不可能（不可）であり、一時的描画が可能（可）である。また、共有先である通信ＩＤ「０１ｂｂ」に対応するユーザは、通常描画が可能（可）であり、一時的描画も可能（可）である。
【０１８８】
このように、第１の実施形態の変形例１に係る画像共有システムは、同じユーザ（同一の通信ＩＤを有するユーザ）であっても通信相手が異なる場合には、異なる表示権限を用いて描画情報の表示を制御する。そのため、第１の実施形態の変形例１に係る画像共有システムは、入力された描画情報の共有先に応じて、柔軟に描画情報の表示を制御することができる。
【０１８９】
●第１の実施形態の変形例２●
次に、第１の実施形態の変形例２について説明する。第１の実施形態の変形例２に係る画像共有システムは、複数の情報処理装置１０において共有して表示される会議資料等の表示画像が複数の領域に分割され、分割された領域ごとに異なる描画種別を有する。そのため、第１の実施形態の変形例２に係る画像共有システムは、共有される表示画像の中で描画情報の入力を制限したい領域を指定して描画情報の表示を制限することができる。
【０１９０】
図２７は、第１の実施形態の変形例２に係る描画権限管理テーブルの一例を示す図である。図２７に示す描画権限管理テーブル５０５ｂは、図１２に示した描画権限管理テーブル５０５に含まれる項目に加え、描画領域５０５２の情報が含まれる。
【０１９１】
描画権限管理テーブル５０５ｂは、各通信ＩＤに、描画領域５０５２ごとの描画権限情報５０５０が関連づけられている。描画領域５０５２は、Ｘ座標値およびＹ座標値により規定される。Ｘ座標値およびＹ座標値は、ディスプレイ１１５上の位置情報を示すものであり、図４に示したセンサコントローラ１１２によって検知され、算出される。
【０１９２】
例えば、通信ＩＤ「０１ａａ」および名称「ＸツーリストＡ店」に対応するユーザは、描画領域「Ｘ座標値；０−２００、Ｙ座標値；７６−１５０」において、通常描画が可能（可）であり、一時的描画も可能（可）である。通信ＩＤ「０１ａａ」および名称「ＸツーリストＡ店」に対応するユーザは、描画領域「Ｘ座標値；０−２００、Ｙ座標値；０−７５」において、通常描画が不可能（不可）であり、一時的描画が可能（可）である。
【０１９３】
図２８は、第１の実施形態の変形例２に係る情報処理装置に表示される表示画面の一例を示す図である。図２８に示す表示画像は、通信ＩＤ「０１ａａ」に対応する情報処理装置１０ａと通信ＩＤ「０１ｂｂ」に対応する情報処理装置１０ｂとの間で表示画像が共有される場合において、情報処理装置１０ａに表示される表示画像である。
【０１９４】
図２８（ａ）は、図１６に示したステップＳ４０９の処理によって生成された表示画像の一例を示す。図１８（ａ）に示す表示画像は、領域８０１および領域８０２ごとに、それぞれ操作アイコン６０２および操作アイコン６０３を有する。領域８０１は、例えば、図２７に示した描画権限管理テーブル５０５ｂのうち、通信ＩＤ「０１ａａ」に関連づけられた描画領域「Ｘ座標値；０−２００、Ｙ座標値；７６−１５０」に対応する領域である。領域８０１は、描画権限管理テーブル５０５ｂに示すように、通常描画が可能（可）であり、一時的描画も可能（可）である。
【０１９５】
一方で、領域８０２は、例えば、図２７に示した描画権限管理テーブル５０５ｂのうち、通信ＩＤ「０１ａａ」に関連づけられた描画領域「Ｘ座標値；０−２００、Ｙ座標値；０−７５」に対応する領域である。領域８０２は、描画権限管理テーブル５０５ｂに示すように、通常描画が不可能（不可）であり、一時的描画が可能（可）である。
【０１９６】
図２８（ｂ）は、自拠点において描画情報の入力が行われた場合の表示画像である。図２８（ｂ）に示す表示画像は、領域８０２において、一時的描画の入力を行うための操作アイコン６０２がユーザによって選択された状態である。この状態において入力される手書き内容である描画情報は、一時的描画の権限を有する。図２８（ｂ）の表示画面は、図１８（ｂ）と同様に、一時的描画として、情報処理装置１０ｂのユーザが入力した描画情報６０５を含む。
【０１９７】
図２８（ｃ）は、相手拠点において描画情報の入力が実施された場合の表示画面である。図２８（ｃ）の表示画面は、相手拠点のユーザが、領域８０２に描画情報の入力を行った描画情報６０６が反映される。描画情報６０６は、通常描画権限を有する描画情報である。また、図２８（ｃ）に示す表示画面において、自拠点による手書き内容である描画情報６０５は、一時的描画権限を有するため、図１８（ｃ）と同様に、所定の時間が経過することにより消去される。描画情報６０５は、図２８（ｃ）に示すように、徐々に薄くなって消去されても良い。
【０１９８】
このように、第１の実施形態の変形例２に係る画像共有システムは、共有される画像データの中で描画情報の入力を制限したい領域を指定して描画情報の表示を制限することができる。図２８に示したように、第１の実施形態の変形例２に係る画像共有システムは、例えば、サービス提供者と顧客の間で共有される契約書等の画像データにおいて、顧客が署名を行う領域のみにサービス提供者の描画情報の入力を制限させるようなニーズを実現することができる。
【０１９９】
●第２の実施形態●
次に、第２の実施形態に係る画像共有システムについて説明する。なお、第１の実施形態と同一構成および同一機能は、同一の符号を付して、その説明を省略する。第２の実施形態に係る画像共有システムは、第１の実施形態に係る画像共有システムと異なり、複数の情報処理装置２０が、それぞれ伝送端末４０を用いた通信セッションを介さずに、通信ネットワーク２を介した通信を実現する。
【０２００】
●システム構成
図２９は、第２の実施形態に係る画像共有システムのシステム構成の一例を示す図である。図２９に示す画像共有システムは、情報処理装置２０ａ、情報処理装置２０ａに接続された外部入力装置５０ａ、情報処理装置２０ｂ、情報処理装置２０ｂに接続された外部入力装置５０ｂおよび管理者端末６０によって構成される。
【０２０１】
情報処理装置２０ａと情報処理装置２０ｂは、通信ネットワーク２を経由して、画像データの送受信を行う。この場合、例えば、一方の情報処理装置２０（例えば、情報処理装置２０ａ）が主催装置（要求元端末）となる場合、情報処理装置２０ａがサーバとしての機能を担い、他方の情報処理装置２０ｂ（宛先端末）との通信を行う。
【０２０２】
情報処理装置２０は、第１の実施形態における情報処理装置１０と同様に、他の情報処理装置２０と相互通信が可能な電子式の黒板機能を有する白板（電子黒板；ＩＷＢ）である。なお、情報処理装置２０は、上述の電子黒板のみならず、手書き入力機能を有するタブレット端末、スマートフォン、ノートＰＣ等であってもよい。
【０２０３】
管理者端末６０は、通信ネットワーク２に接続され、画像共有システムの管理者を使用するＰＣ等の通信端末である。管理者端末６０は、情報処理装置２０に、図１２に示した描画権限情報の登録、および他の情報処理装置２０との間で通信を行うための接続情報等の設定を行う。なお、図２９において、管理者端末６０が一つの端末として設けられている例を説明したが、いずれかの情報処理装置２０が管理者端末６０としての機能を担ってもよい。
【０２０４】
図２９に示す画像共有システムは、複数の情報処理装置が二つの情報処理装置（２０ａ、２０ｂ）である場合について説明したが、これに限定されるものではない。画像共有システムは、三つ以上の異なる拠点に情報処理装置２０が設けられていてもよい。
【０２０５】
●機能構成
図３０は、第２の実施形態に係る画像共有システムの機能構成の一例を示す図である。図３０に示す情報処理装置２０の機能は、サーバ部３００とクライアント部２００とに大別される。
【０２０６】
情報処理装置２０が主催装置（要求元端末）となる場合、情報処理装置２０は、クライアント部２００とサーバ部３００の両方が稼働する。一方、情報処理装置２０が参加装置（宛先端末）となる場合、情報処理装置２０は、クライアント部２００が稼働するが、サーバ部３００が稼働しない。例えば、情報処理装置２０ａが主催装置（要求元端末）で、情報処理装置２０ｂが参加装置（宛先端末）となる場合、情報処理装置２０ａのクライアント部２００は、情報処理装置２０ａのサーバ部３００を介して、情報処理装置２０ｂのクライアント部２００と通信を行う。一方、情報処理装置２０ｂのクライアント部２００は、情報処理装置２０ａのサーバ部３００を介して、情報処理装置２０ａのクライアント部２００と通信を行う。
【０２０７】
まず、クライアント部２００の機能について説明する。クライアント部２００は、図３０に示すように、受信部１１、送信部１２、入力受付部１３、生成部１４、表示制御部１５、送受信部２５およびデータ管理部２６を有している。なお、受信部１１、送信部１２、入力受付部１３、生成部１４および表示制御部１５は、図７に示した受信部１１、送信部１２、入力受付部１３、生成部１４および表示制御部と同様の機能を有するため、説明を省略する。
【０２０８】
送受信部２５は、通信ネットワーク２を経由して、他の情報処理装置２０と各種情報の送受信を行う機能である。また、送受信部２５は、サーバ部３００の送受信部２１との間で各種情報の送受信を行う。送受信部２５は、例えば、図４に示したネットワークＩ／Ｆ１０５およびＣＰＵ１０１で実行されるプログラム等により実現される。
【０２０９】
データ管理部２６は、他の情報処理装置２０との通信を行うための情報、ディスプレイ１１５に表示させる表示画像の画像データおよび図１８に示した描画権限情報等を記憶して管理する機能である。データ管理部２６は、例えば、図４に示したＲＯＭ１０２、ＳＳＤ１０４およびＣＰＵ１０１で実行されるプログラム等により実現される。
【０２１０】
続いて、サーバ部３００の機能について説明する。サーバ部３００は、図３０に示すように、送受信部２１、認証部２２、データ処理部２３およびデータ管理部２４を有している。
【０２１１】
送受信部２１は、送受信部２５は、通信ネットワーク２を経由して、他の情報処理装置２０と各種情報の送受信を行う機能である。送受信部２１は、例えば、クライアント部２００の送受信部２５との間で各種情報の送受信を行う。また、送受信部２１は、例えば、他の情報処理装置２０から遠隔共有処理の参加要求を受信する。さらに、送受信部２１は、例えば、クライアント部２００の送受信部２５へ、他の情報処理装置２０との間で共有される画像データの送受信を行う。送受信部２１は、例えば、図４に示したネットワークＩ／Ｆ１０５およびＣＰＵ１０１で実行されるプログラム等により実現される。
【０２１２】
認証部２２は、他の情報処理装置２０から送信される遠隔共有処理の参加要求に含まれる接続情報に基づいて、他の情報処理装置２０の認証処理を行う機能である。認証部２２は、例えば、図４に示したＣＰＵ１０１で実行されるプログラム等により実現される。
【０２１３】
データ処理部２３は、他の情報処理装置２０から送信される画像データの処理を行う機能である。データ処理部２３は、例えば、他の情報処理装置２０から送信された描画情報であるストローク画像のデータ（図２１参照）の合成処理を行う。データ処理部２３は、例えば、図４に示したＣＰＵ１０１で実行されるプログラム等により実現される。
【０２１４】
データ管理部２４は、他の情報処理装置２０との通信を行うための情報および他の情報処理装置２０から送信される画像データ等を記憶して管理する機能である。データ管理部２４は、例えば、図４に示したＲＯＭ１０２、ＳＳＤ１０４およびＣＰＵ１０１で実行されるプログラム等により実現される。
【０２１５】
●画像共有方法
続いて、図３１および図３２を用いて、第２の実施形態に係る画像共有システムにおける画像共有方法について説明する。図３１および図３２に示す処理において、情報処理装置２０ａは、遠隔共有処理を主催する主催装置（サーバ部３００およびクライアント部２００）としての役割を担っている。また、情報処理装置２０ｂは、遠隔共有処理に参加する参加装置（クライアント部２００）としての役割を担っている。
【０２１６】
図３１は、第２の実施形態に係る画像共有システムにおいて、情報処理装置が表示した表示データを、共有先である情報処理装置に表示させる処理の一例を示すシーケンス図である。まず、ユーザが情報処理装置２０ａの電源スイッチをオンにした場合、情報処理装置２０ａは、クライアント部２００を起動させる。そして、ユーザがタッチパネル等の入力装置によってサーバ部３００を起動させる操作をした場合、クライアント部２００は、同じ情報処理装置２０ａのサーバ部３００へ、サーバ部３００の処理を開始させる指示を出力する。これによって、情報処理装置２０ａは、クライアント部２００だけでなくサーバ部３００も各種処理を開始可能となる（ステップＳ７０１）。
【０２１７】
次に、情報処理装置２０ａのクライアント部２００におけるデータ管理部２６は、情報処理装置２０ｂとの接続を確立するための接続情報を生成する。表示制御部１５は、生成部１４から得た接続情報を、ディスプレイ１１５に表示させる（ステップＳ７０２）。この接続情報は、主催装置（情報処理装置２０ａ）のＩＰアドレスおよび今回の遠隔共有処理のために生成されたパスコードが含む。この場合、データ管理部２６に記憶されているパスコードは、送受信部２５によって読み出され、送受信部２１に送信される。さらに、パスコードは、送受信部２１から、データ管理部２４に送信される。接続情報は、情報処理装置２０ａのユーザによって、電話や電子メールによって、情報処理装置２０ｂのユーザに伝えられる。
【０２１８】
次に、情報処理装置２０ｂのクライアント部２００は、ユーザによる入力操作によって接続情報の入力を受け付けた場合、入力された接続情報に含まれるＩＰアドレスに基づき、通信ネットワーク２を介して、情報処理装置２０ａのサーバ部３００にパスコードを送信して参加要求を行う（ステップＳ７０３）。これにより、情報処理装置２０ａは、情報処理装置２０ｂから、参加要求（パスコードを含む）を受信する。
【０２１９】
ステップＳ７０４において、情報処理装置２０ａの認証部２２は、受信したパスコードに対し、データ管理部２４で管理されているパスコードを用いて認証処理を実行する。ステップＳ７０５において、情報処理装置２０ａの送受信部２１は、情報処理装置２０ｂのクライアント部２００へ認証結果を送信する。
【０２２０】
情報処理装置２０ａの認証部２２によって情報処理装置２０ｂが正当な情報処理装置であると判断されていた場合、主催装置である情報処理装置２０ａは、参加装置である情報処理装置２０ｂとの遠隔共有処理の通信を確立する。これによって、情報処理装置２０ｂのクライアント部２００は、他の情報処理装置との間の遠隔共有処理の開始を可能にする（ステップＳ７０６）。
【０２２１】
以下のステップは、遠隔共有処理における出力画像が表示される処理について説明する。ステップＳ７０７において、情報処理装置２０ｂの表示制御部１５は、外部入力装置５０ｂから出力された画像データである出力画像として、ディスプレイ１１５に表示させる。ステップＳ７０８において、情報処理装置２０ｂの送受信部２５は、表示制御部１５によってディスプレイ１１５に表示させた出力画像の画像データを、情報処理装置２０ａへ送信する。
【０２２２】
ステップＳ７０９において、主催装置である情報処理装置２０ａは、ディスプレイ１１５に対して出力画像を表示する。具体的には、情報処理装置２０ａの送受信部２１は、受信した出力画像の画像データを、同じ主催装置である情報処理装置２０ａのクライアント部２００に出力する。クライアント部２００の送受信部２５は、生成部１４へ、出力画像の画像データを出力する。生成部１４は、出力画像の画像データを用いて、ディスプレイ１１５に表示させる表示画像を生成する。
【０２２３】
なお、生成部１４は、図１９に示した内容と同様に、出力画像の画像データだけでなく、ＵＩ画像およびストローク画像の各描画データを、重畳画像（Ａ，Ｂ，Ｃ）として生成する。そして、表示制御部１５は、生成部１４により生成された重畳画像（Ａ，Ｂ，Ｃ）を表示画像として、ディスプレイ１１５に表示させる。
【０２２４】
図３２は、第２の実施形態に係る画像共有システムにおける描画画像を共有するためのシーケンス図である。図３２は、情報処理装置２０ｂに入力された描画情報が、情報処理装置２０ａに共有される例を説明する。
【０２２５】
ステップＳ８０１において、情報処理装置２０ｂの入力受付部１３は、ユーザによる描画情報の入力を受け付ける。情報処理装置２０ｂのユーザは、電子ペン２４００を用いて、ストローク画像を描画する。
【０２２６】
次に、ステップＳ８０２において、情報処理装置２０ｂの生成部１４は、入力受付部１３によって受け付けられた描画情報を用いて、ディスプレイ１１５に表示させる表示画像を生成する。具体的には、生成部１４は、例えば、図１９に示したＵＩ画像（Ａ）およびＰＣ出力画像（Ｃ）に、入力受付部１３によって受け付けられたストローク画像である描画画像（Ｂ）を重畳する。そして、表示制御部１５は、生成部１４によって生成された重畳画像を、情報処理装置２０ｂのディスプレイ１１５上に表示させる。
【０２２７】
ステップＳ８０３において、情報処理装置２０ｂの送受信部２５は、通信ネットワーク２を介して、主催装置である情報処理装置２０ａへ、描画画像（Ｂ）の画像データを送信する。これにより、情報処理装置２０ａの送受信部２１は、情報処理装置２０ｂにおいて描画された描画画像（Ｂ）の画像データを受信する。このようにして、情報処理装置２０ｂで描画された描画画像（Ｂ）の画像データは、描画されるたびに、主催装置である情報処理装置２０ａへ順次送信される。
【０２２８】
なお、描画画像のデータは、例えば、図２１に示したストロークデータＩＤごとに示されるデータである。よって、例えば、上述したように、ユーザが電子ペン２４００によってアルファベット「Ｔ」を描く場合は二筆書きとなるため、二つのストロークデータＩＤのそれぞれで示されるストローク画像のデータが順次送信される。
【０２２９】
ステップＳ８０４において、主催装置である情報処理装置２０ａの生成部１４は、情報処理装置２０ｂから送信された描画画像（Ｂ）の画像データに基づいて、表示画像を生成する。具体的には、情報処理装置２０ａのデータ処理部２３は、順次送信されてきた複数の描画画像（Ｂ）の画像データを合成してデータ管理部２４に記憶する。また、送受信部２１は、データ処理部２３によって合成された合成後の描画画像（Ｂ）の画像データを、同じ主催装置である情報処理装置２０ａのクライアント部２００における送受信部２５へ送信する。そして、生成部１４は、送受信部２５によって受信された合成後の描画画像（Ｂ）の画像データを、図１９に示したＵＩ画像（Ａ）およびＰＣ出力画像（Ｃ）に重畳することで、表示画像を生成する。
【０２３０】
そして、ステップＳ８０５において、情報処理装置２０ａの表示制御部１５は、生成部１４によって生成された表示画像を、ディスプレイ１１５に表示させる。
【０２３１】
なお、上記処理では、ディスプレイ１１５上にＰＣ出力画像（Ｃ）が表示されているが、このＰＣ出力画像（Ｃ）に代えて、背景画像（Ｄ）を表示してもよい。また、ＰＣ出力画像（Ｃ）と背景画像（Ｄ）との排他的な関係をやめて、ＰＣ出力画像（Ｃ）と背景画像（Ｄ）との両方を同時にディスプレイ１１５上に表示させてもよい。
【０２３２】
このように、第２の実施形態に係る画像共有システムは、複数の情報処理装置２０が、それぞれ伝送端末４０を用いた通信セッションを介さずに、通信ネットワーク２を介した通信を行う場合においても、本発明に係る機能を実現することができる。
【０２３３】
●第３の実施形態●
次に、第３の実施形態に係る画像共有システムについて説明する。なお、第１の実施形態または第２の実施形態と同一構成および同一機能は、同一の符号を付して、その説明を省略する。第３の実施形態に係る画像共有システムは、それぞれの情報処理装置１０がＷＥＢブラウザを使用して遠隔会議を実現する場合のシステムである。
【０２３４】
図３３は、第３の実施形態に係る画像共有システムのシステム構成について説明する。図３３に示す画像共有システムは、複数の情報処理装置３０（３０ａ、３０ｂ）、通信管理装置９０、ＷＥＢサーバ８０によって構成される。
【０２３５】
情報処理装置３０は、タッチパネル等の描画情報の入力（手書き入力）手段を有するタブレット端末である。情報処理装置３０は、ＷＥＢブラウザを用いて、表示画像および入力された描画情報を共有する。
【０２３６】
情報処理装置３０ａは、例えば、ＨＴＴＰサーバとして機能し、ＷＥＢブラウザ上に表示された画像データを、情報処理装置３０ｂへ送信する。この場合、情報処理装置３０ｂは、ＨＴＴＰクライアントとして動作してＨＴＭＬ（HyperText Markup Language）を描画する一般的なウェブブラウザとしての役割を担う機能である。
【０２３７】
ＷＥＢサーバ８０は、通信ネットワーク２を介した情報処理装置３０間における通信を管理するサーバ装置である。ＷＥＢサーバ８０と通信管理装置９０は、管理システム５ｂを構成する。なお、管理システム５ｂは、ＷＥＢサーバ８０と通信管理装置９０の機能を、一つのサーバ装置として実現する構成であってもよい。
【０２３８】
第３の実施形態に係る描画情報の入力方法および画像共有方法等については、図３３に示したシステム構成を用いて、第１の実施形態または第２の実施形態と同様の方法によって実現される。このように、第３の実施形態に係る画像共有システムは、専用の端末（伝送端末４０）や専用のアプリケーションを用いることなく、ＷＥＢブラウザを用いて遠隔会議を実現することができる。また、情報処理装置３０に入力（手書き入力）された描画情報を、ＷＥＢブラウザを用いて、複数の情報処理装置３０の間で共有して表示させることができる。
【０２３９】
●まとめ●
以上説明したように、本発明の一実施形態に係る情報処理装置は、外部装置で表示される表示情報を通信ネットワーク２経由で受信して表示するディスプレイ１１５（表示部の一例）を備える情報処理装置１０であって、ディスプレイ１１５に対する描画情報の入力を受け付ける入力受付部１３（受付手段の一例）と、受け付けられた描画情報のディスプレイ１１５に対する表示権限を示す描画権限情報５０５０（権限情報の一例）に基づいて、描画情報の表示を制御する表示制御部１５（表示制御手段の一例）と、を備える。そのため、情報処理装置１０は、描画情報を入力した入力側が有する描画情報の表示権限に応じて、それぞれの情報処理装置１０に表示される描画情報の表示を制御することで、利便性を向上させることができる。
【０２４０】
また、本発明の一実施形態に係る情報処理装置は、取得した描画権限情報５０５０（権限情報の一例）に含まれる、他の装置によって描画された描画情報の消去権限を有さない描画権限（第１の権限の一例）、または表示された描画情報が所定の条件に基づいて消去される描画権限（第２の権限の一例）に基づいて、描画情報の表示を制御する。そのため、情報処理装置１０は、異なる表示形態を用いて、入力された描画情報を表示させることができるので、共有先や利用シーンに合わせて、それぞれの情報処理装置１０に表示される描画情報の表示を制御することができる。
【０２４１】
さらに、本発明の一実施形態に係る情報処理装置は、取得された描画権限情報５０５０（権限情報の一例）に応じた描画情報の表示権限を選択可能な操作アイコン６０２、６０３（選択手段の一例）を含む入力画面を生成し、選択された表示権限に基づいて、入力画面に入力された描画情報の表示を制御する。そのため、情報処理装置１０は、描画情報の入力を行うユーザに対して、共有先や利用シーンに合わせた描画種別を選択することができる。
【０２４２】
また、本発明の一実施形態に係る情報処理装置は、表示画像内の分割された領域８０１、８０２ごとに付与された描画情報の表示権限に基づいて、当該領域に入力された描画情報の表示を制御する。そのため、情報処理装置１０は、共有される画像データの中で描画情報の入力を制限したい領域を指定して描画情報の表示を制限することができる。
【０２４３】
さらに、本発明の一実施形態に係る管理システムは、ディスプレイ１１５（表示部の一例）に表示される表示画像を共有する複数の情報処理装置１０の間の通信を管理する通信管理装置９０（管理システムの一例）であって、描画情報が入力された入力側を示す入力側情報に、描画情報の表示権限が関連づけられた描画権限情報５０５０（権限情報の一例）を記憶する描画権限管理ＤＢ９００５（記憶手段の一例）と、情報処理装置１０へ、入力側情報に関連づけられた描画権限情報を送信する送受信部９１（送信手段の一例）と、を備える。そのため、通信管理装置９０は、情報処理装置１０へ、描画情報が入力された入力側に応じた描画情報の表示権限を提供することができる。
【０２４４】
また、本発明の一実施形態に係る管理システムは、描画情報の入力側に加えて描画情報の共有先を含む描画共有情報５０５１に、入力側および共有先ごとの描画情報の表示権限が関連づけられた描画権限情報５０５０ａ（権限情報の一例）を、描画権限管理ＤＢ９００５（記憶手段の一例）に記憶し、入力元および共有先であるそれぞれの情報処理装置１０へ、描画共有情報に関連づけられた描画権限情報を送信する。そのため、通信管理装置９０は、入力された描画情報の共有先に応じて、情報処理装置１０に対する描画情報の表示を柔軟に制御することができる。
【０２４５】
さらに、本発明の一実施形態に係る画像共有システムは、複数の情報処理装置１０に表示される表示画像を共有する画像共有システムであって、情報処理装置１０のディスプレイ１１５（表示部の一例）に対する描画情報の入力を受け付ける入力受付部１３（受付手段の一例）と、描画情報を入力した入力側を示す入力側情報に、描画情報の表示権限が関連づけられた描画権限情報５０５０（権限情報の一例）を記憶する描画権限管理ＤＢ９００５（１００１）（記憶手段の一例）と、記憶された描画権限情報に基づいて、描画情報の表示を制御する表示制御部１５（表示制御手段の一例）と、を備える。そのため、本発明の一実施形態に係る画像共有システムは、描画情報を入力した入力側が有する描画情報の表示権限に応じて、それぞれの情報処理装置１０に表示される描画情報の表示を制御することができる。
【０２４６】
また、本発明の一実施形態に係る画像共有方法は、外部装置で表示される表示情報を通信ネットワーク２経由で受信して表示するディスプレイ１１５（表示部の一例）を備える情報処理装置１０が実行する画像共有方法であって、ディスプレイ１１５に対する描画情報の入力を受け付ける受付ステップと、受け付けられた描画情報のディスプレイ１１５に対する表示権限を示す描画権限情報５０５０（権限情報の一例）に基づいて、描画情報の表示を制御する表示制御ステップと、を実行する。そのため、本発明の一実施形態に係る画像共有方法は、描画情報を入力した入力側が有する描画情報の表示権限に応じて、それぞれの情報処理装置１０に表示される描画情報の表示を制御することで、利便性を向上させることができる。
【０２４７】
なお、各実施形態の機能は、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムにより実現でき、ＲＯＭ、ＥＥＰＲＯＭ、ＥＰＲＯＭ（Erasable Programmable Read-Only Memory）、フラッシュメモリ、フレキシブルディスク、ＣＤ（Compact Disc）−ＲＯＭ、ＣＤ−ＲＷ（Re-Writable）、ＤＶＤ−ＲＯＭ、ＤＶＤ−ＲＡＭ、ＤＶＤ−ＲＷ、ブルーレイディスク、ＳＤカード、ＭＯ（Magneto-Optical disc）等の装置可読な記録媒体に格納して、または電気通信回線を通じて頒布することができる。
【０２４８】
また、各実施形態の機能の一部または全部は、例えばＦＰＧＡ（Field Programmable Gate Array）等のプログラマブル・デバイス（PD）上に実装することができ、またはＡＳＩＣとして実装することができ、各実施形態の機能をＰＤ上に実現するためにＰＤにダウンロードする回路構成データ（ビットストリームデータ）、回路構成データを生成するためのＨＤＬ（Hardware Description Language）、ＶＨＤＬ（Very High Speed Integrated Circuits Hardware Description Language）、Ｖｅｒｉｌｏｇ−ＨＤＬ等により記述されたデータとして記録媒体により配布することができる。
【０２４９】
これまで本発明の一実施形態に係る情報処理装置、管理システム、画像共有システム、画像共有方法およびプログラムについて説明してきたが、本発明は上述した実施形態に限定されるものではなく、他の実施形態の追加、変更または削除等、当業者が想到することができる範囲内で変更することができ、いずれの態様においても本発明の作用・効果を奏する限り、本発明の範囲に含まれるものである。
【符号の説明】
【０２５０】
２    通信ネットワーク
３    端末システム
５    管理システム
１０、２０、３０    情報処理装置
１３    入力受付部（受付手段の一例）
１４    生成部（生成手段の一例）
１５    表示制御部（表示制御手段の一例）
４０    伝送端末
５０    外部入力装置
６０    管理者端末
７０    中継装置
９０    通信管理装置
９１    送受信部（送信手段の一例）
９０００    記憶部（記憶手段の一例）
【先行技術文献】
【特許文献】
【０２５１】
【特許文献１】特開２０１０−２３９４６９号公報
【図１】
2019135567.tif 000003
【図２】
2019135567.tif 000004
【図３】
2019135567.tif 000005
【図４】
2019135567.tif 000006
【図５】
2019135567.tif 000007
【図６】
2019135567.tif 000008
【図７】
2019135567.tif 000009
【図８】
2019135567.tif 000010
【図９】
2019135567.tif 000011
【図１０】
2019135567.tif 000012
【図１１】
2019135567.tif 000013
【図１２】
2019135567.tif 000014
【図１３】
2019135567.tif 000015
【図１４】
2019135567.tif 000016
【図１５】
2019135567.tif 000017
【図１６】
2019135567.tif 000018
【図１７】
2019135567.tif 000019
【図１８】
2019135567.tif 000020
【図１９】
2019135567.tif 000021
【図２０】
2019135567.tif 000022
【図２１】
2019135567.tif 000023
【図２２】
2019135567.tif 000024
【図２３】
2019135567.tif 000025
【図２４】
2019135567.tif 000026
【図２５】
2019135567.tif 000027
【図２６】
2019135567.tif 000028
【図２７】
2019135567.tif 000029
【図２８】
2019135567.tif 000030
【図２９】
2019135567.tif 000031
【図３０】
2019135567.tif 000032
【図３１】
2019135567.tif 000033
【図３２】
2019135567.tif 000034
【図３３】
2019135567.tif 000035